(57)【要約】ｍｍＷ無線ローカルエリアネットワーク（ＷＬＡＮ）システム中での複数のチャネル送信が提供され得る。マルチチャネルアグリゲーションおよびチャネルボンディングは、例えば、単一の送信機／受信機ペアのためのマルチチャネルアグリゲーションまたは周波数および空間ベースの多元接続を用いる複数の送信機／受信機ペアのためのマルチチャネルアグリゲーションおよびボンディングを含み得る。マルチチャネルビームフォーミングは、例えば、２つのチャネルにわたる１つのアナログビームと各チャネル上のアナログ回路もしくは両方のチャネル上の単一のアナログ回路と、２つのチャネルにわたる１つのアナログビームと各チャネル上の別個のデジタルプリコーディング方式と、１次チャネルにわたる１つのアナログビームと各チャネル上の別個のデジタルプリコーディング方式と、または２つのチャネル上の２つのアナログビームと各チャネル上の別個のデジタルプリコーディングとを含み得る。プリアンブルシグナリングが提供され得る。
2019526990.tif 000002
【特許請求の範囲】
【請求項１】
デバイスであって、
プロセッサを備え、前記プロセッサは、
指向性マルチギガビット（ＤＭＧ）パケットの代わりに拡張指向性マルチギガビット（ＥＤＭＧ）パケットフレームを送信することを決定し、前記ＥＤＭＧフレームはレガシーヘッダ（Ｌヘッダ）を備え、前記Ｌヘッダは長さフィールドを備え、
前記長さフィールドの値を決定し、前記長さフィールドの前記値が送信機時間（ＴＸＴＩＭＥ）を計算するために使用されるとき、前記ＴＸＴＩＭＥは、ＥＤＭＧパケットフレーム持続時間とほぼ同じ持続時間であり、
前記決定された値に設定された前記Ｌヘッダの前記長さフィールドとともに前記ＥＤＭＧパケットフレームを送り、前記Ｌヘッダ中の予約ビット４６は１の値に設定される、
ように構成された、デバイス。
【請求項２】
前記デバイスは、局またはアクセスポイント（ＡＰ）を備える、請求項１のデバイス。
【請求項３】
前記プロセッサは、前記ＥＤＭＧパケットフレームに関連する持続時間を決定するようにさらに構成される、請求項１のデバイス。
【請求項４】
前記ＥＤＭＧパケットフレームは、Ｌヘッダパケットタイプフィールド、Ｌヘッダビーム追跡要求フィールド、またはパケットタイプフィールドのうちの少なくとも１つを備える、請求項１のデバイス。
【請求項５】
前記ＥＤＭＧパケットフレームは、ＤＭＧシングルキャリア（ＳＣ）物理（ＰＨＹ）フレームである、請求項１のデバイス。
【請求項６】
設定された前記Ｌヘッダの前記長さフィールドは、所定の値よりも小さい、請求項１のデバイス。
【請求項７】
デバイスによって、指向性マルチギガビット（ＤＭＧ）パケットの代わりに拡張指向性マルチギガビット（ＥＤＭＧ）パケットフレームを送信することを決定することであって、前記ＥＤＭＧフレームはレガシーヘッダ（Ｌヘッダ）を備え、前記Ｌヘッダは長さフィールドを備える、ことと、
前記長さフィールドの値を決定することであって、前記長さフィールドの前記値が送信機時間（ＴＸＴＩＭＥ）を計算するために使用されるとき、前記ＴＸＴＩＭＥは、ＥＤＭＧパケットフレーム持続時間とほぼ同じ持続時間である、ことと、
前記決定された値に設定された前記Ｌヘッダの前記長さフィールドとともに前記ＥＤＭＧパケットフレームを送ることであって、前記Ｌヘッダ中の予約ビット４６は１の値に設定される、ことと
を備える方法。
【請求項８】
前記デバイスは、局またはアクセスポイント（ＡＰ）を備える、請求項７の方法。
【請求項９】
前記ＥＤＭＧパケットフレームに関連する持続時間を決定することをさらに備える、請求項７の方法。
【請求項１０】
前記ＥＤＭＧパケットフレームは、Ｌヘッダパケットタイプフィールド、Ｌヘッダビーム追跡要求フィールド、またはパケットタイプフィールドのうちの少なくとも１つを備える、請求項７の方法。
【請求項１１】
前記ＥＤＭＧパケットフレームは、ＤＭＧシングルキャリア（ＳＣ）物理（ＰＨＹ）フレームである、請求項７の方法。
【請求項１２】
設定された前記Ｌヘッダの前記長さフィールドは、所定の値よりも小さい、請求項７の方法。
【発明の詳細な説明】
【背景技術】
【０００１】
関連出願の相互参照
本出願は、その内容が参照により本明細書に組み込まれる、2016年9月8日に出願された米国特許仮出願第62/385,081号および2017年1月5日に出願された米国特許仮出願第62/442,771号の利益を主張し、本出願は、これらの優先権出願の出願日の利益を主張する。
【０００２】
無線ローカルエリアネットワーク（ＷＬＡＮ）は、インフラストラクチャ基本サービスセット（ＢＳＳ）モードおよび独立ＢＳＳ（ＩＢＳＳ）モードなどの複数の動作モードを有し得る。インフラストラクチャＢＳＳモードのＷＬＡＮは、ＢＳＳのためのアクセスポイント（ＡＰ）を有し得る。１つまたは複数の無線送受信ユニット（ＷＴＲＵ）、例えば、局（ＳＴＡ）は、ＡＰに関連付けられ得る。ＡＰは、配信システム（ＤＳ）またはＢＳＳを出入りするトラフィックを搬送する別のタイプの有線／無線ネットワークへのアクセスまたはインターフェースを有し得る。ＢＳＳの外部から発信するＳＴＡへのトラフィックは、ＳＴＡにトラフィックを送出し得るＡＰを通して到着し得る。ＳＴＡからＳＴＡへの通信は、ＷＬＡＮシステム中で行われ得る。ＡＰは、ＷＬＡＮシステム中のＳＴＡの役割で働き得る。ビームフォーミングは、ＷＬＡＮデバイスによって使用され得る。
【発明の概要】
【０００３】
ｍｍＷ  ＷＬＡＮシステム中での複数のチャネル送信のためのシステム、方法、および手段を開示する。マルチチャネルアグリゲーションおよびチャネルボンディングは、例えば、単一の送信機／受信機ペアのためのマルチチャネルアグリゲーションまたは周波数および空間ベースの多元接続を用いる複数の送信機／受信機ペアのためのマルチチャネルアグリゲーションおよびボンディングを備え得る。マルチチャネルビームフォーミングは、例えば、２つのチャネルにわたる１つのアナログビームと各チャネル上のアナログ回路もしくは両方のチャネル上の単一のアナログ回路と、２つのチャネルにわたる１つのアナログビームと各チャネル上の別個のデジタルプリコーディング方式と、１次チャネルにわたる１つのアナログビームと各チャネル上の別個のデジタルプリコーディング方式と、または２つのチャネル上の２つのアナログビームと各チャネル上の別個のデジタルプリコーディングとを備え得る。プリアンブルシグナリングが提供され得る。
【０００４】
デバイス（例えば、ＳＴＡまたはＡＰ）は、指向性マルチギガビット（ＤＭＧ）パケットの代わりに拡張指向性マルチギガビット（ＥＤＭＧ）パケットフレームを送信することを決定し得る。ＤＭＧパケットは、ＤＭＧ  ＢＲＰ受信機（ＢＲＰ−ＲＸ）パケットを含み得る。ＥＤＭＧフレームは、レガシーヘッダ（Ｌヘッダ）を含み得る。Ｌヘッダは、長さフィールドを含み得る。デバイスは、長さフィールドの値を決定し得る。長さフィールドの値が送信機時間（ＴＸＴＩＭＥ）を計算するために使用されるとき、ＴＸＴＩＭＥは、ＥＤＭＧパケットフレーム持続時間とほぼ同じ持続時間であり得る。デバイスは、決定された値に設定されたＬヘッダの長さフィールドとともにＥＤＭＧパケットフレームを送り得る。Ｌヘッダ中の予約ビット４６は、１の値に設定され得る。デバイスは、ＥＤＭＧパケットフレームに関連する持続時間を決定するように構成され得る。ＥＤＭＧパケットフレームは、Ｌヘッダパケットタイプフィールド、Ｌヘッダビーム追跡要求フィールド、および／またはパケットタイプフィールドの１つまたは複数を含み得る。ＥＤＭＧパケットフレームは、ＤＭＧシングルキャリア（ＳＣ）物理（ＰＨＹ）フレームであり得る。
【図面の簡単な説明】
【０００５】
【図１Ａ】１つまたは複数の開示する実施形態が実装され得る例示的な通信システムを示すシステム図である。
【図１Ｂ】一実施形態による、図１Ａに示す通信システム内で使用され得る例示的な無線送受信ユニット（ＷＴＲＵ）を示すシステム図である。
【図１Ｃ】一実施形態による、図１Ａに示す通信システム内で使用され得る例示的な無線アクセスネットワーク（ＲＡＮ）と例示的なコアネットワーク（ＣＮ）とを示すシステム図である。
【図１Ｄ】一実施形態による、図１Ａに示す通信システム内で使用され得るさらなる例示的なＲＡＮとさらなる例示的なＣＮとを示すシステム図である。
【図２】セクタレベルスイープ（ＳＬＳ）トレーニングの一例である。
【図３】セクタスイープ（ＳＳＷ）フレームのための例示的なフォーマットである。
【図４】ＳＳＷフレーム中のＳＳＷフィールドのための例示的なフォーマットである。
【図５】ＳＳＷフレーム中のＳＳＷフィードバックフィールドの一例である。
【図６】ビーム改良プロトコル（ＢＲＰ）フレームおよびトレーニング（ＴＲＮ）フィールドを搬送する例示的な物理（ＰＨＹ）レイヤコンバージェンスプロシージャ（ＰＬＣＰ）プロトコルデータユニット（ＰＰＤＵ）である。
【図７】指向性マルチギガビット（ＤＭＧ）ＰＰＤＵフォーマットの一例である。
【図８】チャネルボンディング対アグリゲーションフレームワークの一例である。
【図９】チャネルボンディングの例を与える。
【図１０】チャネル化の一例である。
【図１１】拡張ＤＭＧ（ＥＤＭＧ）プリアンブルフォーマットの一例である。
【図１２】マルチチャネルマルチストリーム送信のためのＥＤＭＧプリアンブルの一例である。
【図１３】ＥＤＭＧショートトレーニングフィールド（ＳＴＦ）の一例である。
【図１４Ａ】８０２．１１ａｙにおけるチャネルアグリゲーションおよびボンディングの一例である。
【図１４Ｂ】８０２．１１ａｙにおけるチャネルアグリゲーションおよびボンディングの一例である。
【図１５】ＯＦＤＭＡを使用する周波数ベースの多元接続を用いるチャネルボンディングの一例である。
【図１６】ＳＣおよびＯＦＤＭＡを使用する周波数ベースの多元接続を用いるチャネルアグリゲーションの一例である。
【図１７】単一のキャリア送信と複数の空間ビームとを用いるチャネルアグリゲーションの一例である。
【図１８】ＯＦＤＭＡとサブチャネルごとの複数の空間ビームとを用いるチャネルボンディングの一例である。
【図１９】ＯＦＤＭＡとサブチャネルごとの複数の空間ビームとを用いるチャネルアグリゲーションの一例である。
【図２０】ブロードバンドビームフォーマの一例である。
【図２１】アナログビームフォーミングのための例示的なプロシージャである。
【図２２】ハイブリッドビームフォーミングのための例示的なプロシージャである。
【図２３】２つのチャネルにわたる１つのアナログビームのための例示的なプロシージャである。
【図２４】１次チャネルにわたる１つのアナログビームのための例示的なプロシージャである。
【図２５】２つのチャネル上の２つのアナログビームの一例である。
【図２６】コヒーレンス帯域幅内の２つの連続するチャネルの一例である。
【図２７】２つのチャネル上の２つのアナログビームの一例である。
【図２８】コヒーレンス帯域幅内の２つの連続するチャネルの一例である。
【図２９】時分割ＭＵの一例である。
【発明を実施するための形態】
【０００６】
例示的な実施形態の詳細な説明について、様々な図を参照しながら説明する。この説明が可能な実装形態の詳細な例を提供するが、詳細は例示的なものであり、適用範囲を全く限定しないことに留意されたい。
【０００７】
図１Ａは、１つまたは複数の開示する実施形態が実装され得る例示的な通信システム１００を示す図である。通信システム１００は、複数の無線ユーザに音声、データ、ビデオ、メッセージング、ブロードキャストなどのコンテンツを与える多元接続システムであり得る。通信システム１００は、無線帯域幅を含むシステムリソースの共有を通してそのようなコンテンツに複数の無線ユーザがアクセスすることを可能にし得る。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、ゼロテールユニークワードＤＦＴ拡散ＯＦＤＭ（ＺＴ  ＵＷ  ＤＴＳ−ｓ  ＯＦＤＭ：zero-tail unique-word DFT-Spread OFDM）、ユニークワードＯＦＤＭ（ＵＷ−ＯＦＤＭ：unique word OFDM）、リソースブロックフィルタ処理済みＯＦＤＭ（resource block-filtered OFDM）、フィルタバンクマルチキャリア（ＦＢＭＣ：filter bank multicarrier）などの１つまたは複数のチャネルアクセス方法を採用し得る。
【０００８】
図１Ａに示すように、通信システム１００は、無線送受信ユニット（ＷＴＲＵ）１０２ａ、１０２ｂ、１０２ｃ、１０２ｄと、ＲＡＮ１０４／１１３と、ＣＮ１０６／１１５と、公衆交換電話網（ＰＳＴＮ）１０８と、インターネット１１０と、他のネットワーク１１２とを含み得るが、開示する実施形態が、任意の数のＷＴＲＵ、基地局、ネットワーク、および／またはネットワーク要素を企図することを諒解されよう。ＷＴＲＵ１０２ａ、１０２ｂ、１０２ｃ、１０２ｄの各々は、無線環境において動作および／または通信するように構成された任意のタイプのデバイスであり得る。例えば、いずれかが「局」および／または「ＳＴＡ」と呼ばれることがあるＷＴＲＵ１０２ａ、１０２ｂ、１０２ｃ、１０２ｄは、無線信号を送信および／または受信するように構成され得、ユーザ機器（ＵＥ）、移動局、固定またはモバイル加入者ユニット、サブスクリプションベースのユニット、ページャ、セルラー電話、携帯情報端末（ＰＤＡ）、スマートフォン、ラップトップ、ネットブック、パーソナルコンピュータ、無線センサ、ホットスポットまたはＭｉ−Ｆｉデバイス、ＩｏＴデバイス、ウォッチまたは他のウェアラブルなもの、ヘッドマウントディスプレイ（ＨＭＤ）、ビークル、ドローン、医療デバイスおよびアプリケーション（例えば、遠隔手術）、産業用デバイスおよびアプリケーション（例えば、産業および／または自動処理チェーンコンテキストで動作するロボットおよび／または他の無線デバイス）、家庭用電子機器デバイス、商用および／または産業用無線ネットワーク上で動作するデバイスなどを含み得る。ＷＴＲＵ１０２ａ、１０２ｂ、１０２ｃおよび１０２ｄのいずれかは、互換的にＵＥと呼ばれることがある。
【０００９】
通信システム１００は、基地局１１４ａおよび／または基地局１１４ｂを含み得る。基地局１１４ａ、１１４ｂの各々は、ＣＮ１０６／１１５、インターネット１１０、および／または他のネットワーク１１２などの１つまたは複数の通信ネットワークへのアクセスを容易にするためにＷＴＲＵ１０２ａ、１０２ｂ、１０２ｃ、１０２ｄの少なくとも１つとワイヤレスにインターフェースするように構成された任意のタイプのデバイスであり得る。例えば、基地局１１４ａ、１１４ｂは、ベーストランシーバ基地局（ＢＴＳ）、ノードＢ、ｅノードＢ、ホームノードＢ、ホームｅノードＢ、ｇＮＢ、ＮＲノードＢ、サイトコントローラ、アクセスポイント（ＡＰ）、無線ルータなどであり得る。基地局１１４ａ、１１４ｂが単一の要素として示されているが、基地局１１４ａ、１１４ｂが任意の数の相互接続された基地局および／またはネットワーク要素を含み得ることを諒解されよう。
【００１０】
基地局１１４ａは、他の基地局および／または基地局コントローラ（ＢＳＣ）、無線ネットワークコントローラ（ＲＮＣ）、リレーノードなどのネットワーク要素（図示せず）をも含み得るＲＡＮ１０４／１１３の一部であり得る。基地局１１４ａおよび／または基地局１１４ｂは、セル（図示せず）と呼ばれることがある１つまたは複数のキャリア周波数上で無線信号を送信および／または受信するように構成され得る。これらの周波数は、認可スペクトル、無認可スペクトル、または認可スペクトルと無認可スペクトルとの組合せ中にあり得る。セルは、比較的固定され得るか、または時間とともに変化し得る特定の地理的エリアに無線サービスのためのカバレージを与え得る。セルは、セルセクタにさらに分割され得る。例えば、基地局１１４ａに関連するセルは、３つのセクタに分割され得る。従って、一実施形態では、基地局１１４ａは、３つのトランシーバ、すなわち、セルのセクタごとに１つを含み得る。一実施形態では、基地局１１４ａは、ＭＩＭＯ技術を採用し、セルのセクタごとに複数のトランシーバを利用し得る。例えば、所望の空間的方向で信号を送信および／または受信するために、ビームフォーミングが使用され得る。
【００１１】
基地局１１４ａ、１１４ｂは、任意の好適な無線通信リンク（例えば、無線周波数（ＲＦ）、マイクロ波、センチメートル波、マイクロメートル波、赤外線（ＩＲ）、紫外線（ＵＶ）、可視光など）であり得るエアインターフェース１１６を介してＷＴＲＵ１０２ａ、１０２ｂ、１０２ｃ、１０２ｄのうちの１つまたは複数と通信し得る。エアインターフェース１１６は、任意の好適な無線アクセス技術（ＲＡＴ）を使用して確立され得る。
【００１２】
より詳細には、上記のように、通信システム１００は、多元接続システムであり得、ＣＤＭＡ、ＴＤＭＡ、ＦＤＭＡ、ＯＦＤＭＡ、ＳＣ−ＦＤＭＡなどの１つまたは複数のチャネルアクセス方式を採用し得る。例えば、ＲＡＮ１０４／１１３中の基地局１１４ａおよびＷＴＲＵ１０２ａ、１０２ｂ、１０２ｃは、広帯域ＣＤＭＡ（ＷＣＤＭＡ（登録商標））を使用してエアインターフェース１１５／１１６／１１７を確立し得るユニバーサル移動体（電話）通信システム（ＵＭＴＳ）地上波無線アクセス（ＵＴＲＡ）などの無線技術を実装し得る。ＷＣＤＭＡは、高速パケットアクセス（ＨＳＰＡ）および／または発展型ＨＳＰＡ（ＨＳＰＡ＋）などの通信プロトコルを含み得る。ＨＳＰＡは、高速ダウンリンク（ＤＬ）パケットアクセス（ＨＳＤＰＡ）および／または高速ＵＬパケットアクセス（ＨＳＵＰＡ）を含み得る。
【００１３】
一実施形態では、基地局１１４ａおよびＷＴＲＵ１０２ａ、１０２ｂ、１０２ｃは、ロングタームエボリューション（ＬＴＥ）および／またはＬＴＥアドバンスト（ＬＴＥ−Ａ）および／またはＬＴＥアドバンストプロ（ＬＴＥ−Ａ  Ｐｒｏ）を使用してエアインターフェース１１６を確立し得る発展型ＵＭＴＳ地上波無線アクセス（Ｅ−ＵＴＲＡ）などの無線技術を実装し得る。
【００１４】
一実施形態では、基地局１１４ａおよびＷＴＲＵ１０２ａ、１０２ｂ、１０２ｃは、新無線（ＮＲ：new radio）を使用してエアインターフェース１１６を確立し得るＮＲ無線アクセスなどの無線技術を実装し得る。
【００１５】
一実施形態では、基地局１１４ａおよびＷＴＲＵ１０２ａ、１０２ｂ、１０２ｃは、複数の無線アクセス技術を実装し得る。例えば、基地局１１４ａおよびＷＴＲＵ１０２ａ、１０２ｂ、１０２ｃは、例えば、デュアル接続性（ＤＣ）原理を使用してＬＴＥ無線アクセスとＮＲ無線アクセスとを一緒に実装し得る。従って、ＷＴＲＵ１０２ａ、１０２ｂ、１０２ｃによって利用されるエアインターフェースは、複数のタイプの無線アクセス技術および／または複数のタイプの基地局（例えば、ｅＮＢおよびｇＮＢ）との間で送られる送信によって特徴づけられ得る。
【００１６】
他の実施形態では、基地局１１４ａおよびＷＴＲＵ１０２ａ、１０２ｂ、１０２ｃは、ＩＥＥＥ８０２．１１（すなわち、ＷｉＦｉ（Wireless Fidelity））、ＩＥＥＥ８０２．１６（すなわち、ＷｉＭＡＸ（Worldwide Interoperability for Microwave Access））、ＣＤＭＡ２０００、ＣＤＭＡ２０００  １Ｘ、ＣＤＭＡ２０００ＥＶ−ＤＯ、Ｉｎｔｅｒｉｍ  Ｓｔａｎｄａｒｄ２０００（ＩＳ−２０００）、Ｉｎｔｅｒｉｍ  Ｓｔａｎｄａｒｄ９５（ＩＳ−９５）、Ｉｎｔｅｒｉｍ  Ｓｔａｎｄａｒｄ８５６（ＩＳ−８５６）、ＧＳＭ（登録商標）（Global System for Mobile Communications）、ＧＳＭ進化型高速データレート（ＥＤＧＥ）、ＧＳＭ  ＥＤＧＥ（ＧＥＲＡＮ）などの無線技術を実装し得る。
【００１７】
図１Ａ中の基地局１１４ｂは、例えば、無線ルータ、ホームノードＢ、ホームｅノードＢ、またはアクセスポイントであり得、職場、家庭、ビークル、構内、産業設備、（例えば、ドローンが使用するための）空中回廊、道路などの局所的エリアでの無線接続性を容易にするために任意の好適なＲＡＴを利用し得る。一実施形態では、基地局１１４ｂおよびＷＴＲＵ１０２ｃ、１０２ｄは、無線ローカルエリアネットワーク（ＷＬＡＮ）を確立するためにＩＥＥＥ８０２．１１などの無線技術を実装し得る。一実施形態では、基地局１１４ｂおよびＷＴＲＵ１０２ｃ、１０２ｄは、無線パーソナルエリアネットワーク（ＷＰＡＮ）を確立するためにＩＥＥＥ８０２．１５などの無線技術を実装し得る。また別の実施形態中で、基地局１１４ｂおよびＷＴＲＵ１０２ｃ、１０２ｄは、ピコセルまたはフェムトセルを確立するためにセルラーベースのＲＡＴ（例えば、ＷＣＤＭＡ、ＣＤＭＡ２０００、ＧＳＭ、ＬＴＥ、ＬＴＥ−Ａ、ＬＴＥ−Ａ  Ｐｒｏ、ＮＲなど）を利用し得る。図１Ａに示すように、基地局１１４ｂは、インターネット１１０への直接接続を有し得る。従って、基地局１１４ｂは、ＣＮ１０６／１１５を介してインターネット１１０にアクセスする必要がないことがある。
【００１８】
ＲＡＮ１０４／１１３は、ＷＴＲＵ１０２ａ、１０２ｂ、１０２ｃ、１０２ｄのうちの１つまたは複数に音声、データ、アプリケーション、および／またはＶｏＩＰ（Voice over Internet Protocol）サービスを与えるように構成された任意のタイプのネットワークであり得るＣＮ１０６／１１５と通信していることがある。データは、異なるスループット要件、レイテンシ要件、誤り耐性要件、信頼性要件、データスループット要件、モビリティ要件などの変動するサービス品質（ＱｏＳ）要件を有し得る。ＣＮ１０６／１１５は、呼の制御、課金サービス、モバイル位置情報サービス、プリペイド発呼、インターネット接続性、ビデオ配信などを与え、および／またはユーザ認証などの高レベルなセキュリティ機能を実行し得る。図１Ａには示されていないが、ＲＡＮ１０４／１１３および／またはＣＮ１０６／１１５が、ＲＡＮ１０４／１１３と同じＲＡＴまたは異なるＲＡＴを採用する他のＲＡＮと直接的または間接的に通信していることがあることを諒解されよう。例えば、ＮＲ無線技術を利用していることがあるＲＡＮ１０４／１１３に接続されることに加えて、ＣＮ１０６／１１５はまた、ＧＳＭ、ＵＭＴＳ、ＣＤＭＡ２０００、ＷｉＭＡＸ、Ｅ−ＵＴＲＡ、またはＷｉＦｉ無線技術を採用する別のＲＡＮ（図示せず）と通信していることがある。
【００１９】
ＣＮ１０６／１１５はまた、ＰＳＴＮ１０８、インターネット１１０、および／または他のネットワーク１１２にアクセスするためにＷＴＲＵ１０２ａ、１０２ｂ、１０２ｃ、１０２ｄのためのゲートウェイとして働き得る。ＰＳＴＮ１０８は、簡易電話サービス（ＰＯＴＳ）を与える回線交換電話網を含み得る。インターネット１１０は、ＴＣＰ／ＩＰインターネットプロトコルスイート中でＴＣＰ、ＵＤＰおよび／またはＩＰなどの共通の通信プロトコルを使用する相互接続されたコンピュータネットワークおよびデバイスのグローバルシステムを含み得る。ネットワーク１１２は、他のサービスプロバイダによって所有および／または動作される有線および／または無線通信ネットワークを含み得る。例えば、ネットワーク１１２は、ＲＡＮ１０４／１１３と同じＲＡＴまたは異なるＲＡＴを採用し得る１つまたは複数のＲＡＮに接続された別のＣＮを含み得る。
【００２０】
通信システム１００中でＷＴＲＵ１０２ａ、１０２ｂ、１０２ｃ、１０２ｄの一部または全部は、マルチモード能力を含み得る（例えば、ＷＴＲＵ１０２ａ、１０２ｂ、１０２ｃ、１０２ｄは、異なる無線リンクを介して異なる無線ネットワークと通信するための複数のトランシーバを含み得る）。例えば、図１Ａに示すＷＴＲＵ１０２ｃは、セルラーベースの無線技術を採用し得る基地局１１４ａと通信し、ＩＥＥＥ８０２無線技術を採用し得る基地局１１４ｂと通信するように構成され得る。
【００２１】
図１Ｂは、例示的なＷＴＲＵ１０２を示すシステム図である。図１Ｂに示すように、ＷＴＲＵ１０２は、特に、プロセッサ１１８、トランシーバ１２０、送受信要素１２２、スピーカ／マイクロフォン１２４、キーパッド１２６、ディスプレイ／タッチパッド１２８、非リムーバブルメモリ１３０、リムーバブルメモリ１３２、電源１３４、ＧＰＳチップセット１３６、および／または他の周辺機器１３８を含み得る。ＷＴＲＵ１０２が、実施形態に一致したままでありながら、上記の要素の任意の部分組合せを含み得ることを諒解されよう。
【００２２】
プロセッサ１１８は、汎用プロセッサ、専用プロセッサ、従来のプロセッサ、デジタル信号プロセッサ（ＤＳＰ）、複数のマイクロプロセッサ、ＤＳＰコアに関連する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態機械などであり得る。プロセッサ１１８は、信号符号化、データ処理、電力制御、入出力処理、および／またはＷＴＲＵ１０２が無線環境において動作することを可能にする任意の他の機能を実行し得る。プロセッサ１１８は、送受信要素１２２に結合され得るトランシーバ１２０に結合され得る。図１Ｂに、別個の構成要素としてプロセッサ１１８とトランシーバ１２０とを示しているが、プロセッサ１１８とトランシーバ１２０とが電子パッケージまたはチップ中で一緒に統合され得ることを諒解されよう。
【００２３】
送受信要素１２２は、エアインターフェース１１６を介して基地局（例えば、基地局１１４ａ）に信号を送信し、またはそれから信号を受信するように構成され得る。例えば、一実施形態では、送受信要素１２２は、ＲＦ信号を送信および／または受信するように構成されたアンテナであり得る。一実施形態では、送受信要素１２２は、例えば、ＩＲ、ＵＶ、または可視光信号を送信および／または受信するように構成されたエミッタ／検出器であり得る。別の実施形態では、送受信要素１２２は、ＲＦ信号と光信号との両方を送信および／または受信するように構成され得る。送受信要素１２２が、無線信号の任意の組合せを送信および／または受信するように構成され得ることを諒解されよう。
【００２４】
送受信要素１２２が単一の要素として図１Ｂに示されているが、ＷＴＲＵ１０２は任意の数の送受信要素１２２を含み得る。より詳細には、ＷＴＲＵ１０２は、ＭＩＭＯ技術を採用し得る。従って、一実施形態では、ＷＴＲＵ１０２は、エアインターフェース１１６を介して無線信号を送信および受信するための２つ以上の送受信要素１２２（例えば、複数のアンテナ）を含み得る。
【００２５】
トランシーバ１２０は、送受信要素１２２によって送信されるべきである信号を変調し、送受信要素１２２によって受信された信号を復調するように構成され得る。上記のように、ＷＴＲＵ１０２は、マルチモード能力を有し得る。従って、トランシーバ１２０は、ＷＴＲＵ１０２が、例えば、ＮＲおよびＩＥＥＥ８０２．１１などの複数のＲＡＴを介して通信することを可能にするための複数のトランシーバを含み得る。
【００２６】
ＷＴＲＵ１０２のプロセッサ１１８は、スピーカ／マイクロフォン１２４、キーパッド１２６、および／またはディスプレイ／タッチパッド１２８（例えば、液晶ディスプレイ（ＬＣＤ）ディスプレイユニットまたは有機発光ダイオード（ＯＬＥＤ）ディスプレイユニット）に結合され得、それらからユーザ入力データを受信し得る。プロセッサ１１８はまた、スピーカ／マイクロフォン１２４、キーパッド１２６、および／またはディスプレイ／タッチパッド１２８にユーザデータを出力し得る。さらに、プロセッサ１１８は、非リムーバブルメモリ１３０および／またはリムーバブルメモリ１３２などの任意のタイプの好適なメモリの情報にアクセスし、それの中にデータを記憶し得る。非リムーバブルメモリ１３０は、ＲＡＭ、ＲＯＭ、ハードディスク、または任意の他のタイプのメモリストレージデバイスを含み得る。リムーバブルメモリ１３２は、加入者識別モジュール（ＳＩＭ）カード、メモリスティック、セキュアデジタル（ＳＤ）メモリカードなどを含み得る。他の実施形態では、プロセッサ１１８は、サーバまたはホームコンピュータ（図示せず）上など、ＷＴＲＵ１０２上に物理的に位置しないメモリから情報にアクセスし、それの中にデータを記憶し得る。
【００２７】
プロセッサ１１８は、電源１３４から電力を受電し得、ＷＴＲＵ１０２中の他の構成要素に電力を分散および／または制御するように構成され得る。電源１３４は、ＷＴＲＵ１０２に電力供給するための任意の好適なデバイスであり得る。例えば、電源１３４は、１つまたは複数の乾電池バッテリー（例えば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、燃料電池などを含み得る。
【００２８】
プロセッサ１１８はまた、ＷＴＲＵ１０２の現在位置に関するロケーション情報（例えば、経度および緯度）を与えるように構成され得るＧＰＳチップセット１３６に結合され得る。ＧＰＳチップセット１３６からの情報に加えて、または、それの代わりに、ＷＴＲＵ１０２は、基地局（例えば、基地局１１４ａ、１１４ｂ）からエアインターフェース１１６を介してロケーション情報を受信し、および／または２つ以上の近くの基地局から受信している信号のタイミングに基づいてそれのロケーションを決定し得る。ＷＴＲＵ１０２が、実施形態に一致したままでありながら、任意の好適なロケーション決定方法によってロケーション情報を捕捉し得ることを諒解されよう。
【００２９】
プロセッサ１１８は、追加の特徴、機能および／または有線もしくは無線接続性を与える１つまたは複数のソフトウェアおよび／またはハードウェアモジュールを含み得る他の周辺機器１３８にさらに結合され得る。例えば、周辺機器１３８は、加速度計、ｅコンパス、衛星トランシーバ、（写真および／またはビデオのための）デジタルカメラ、ＵＳＢポート、振動デバイス、テレビジョントランシーバ、ハンズフリーヘッドセット、Ｂｌｕｅｔｏｏｔｈ（登録商標）モジュール、周波数変調（ＦＭ）無線ユニット、デジタル音楽プレーヤ、メディアプレーヤ、ビデオゲームプレーヤモジュール、インターネットブラウザ、バーチャルリアリティおよび／または拡張現実（ＶＲ／ＡＲ）デバイス、アクティビティトラッカなどを含み得る。周辺機器１３８は、１つまたは複数のセンサを含み得、センサは、ジャイロスコープ、加速度計、ホール効果センサ、磁力計、向きセンサ、近接センサ、温度センサ、時間センサ、ジオロケーションセンサ、高度計、光センサ、タッチセンサ、気圧計、ジェスチャセンサ、生体センサ、および／または湿度センサのうちの１つまたは複数であり得る。
【００３０】
ＷＴＲＵ１０２は、（例えば、（例えば、送信のための）ＵＬと（例えば、受信のための）ダウンリンクとの両方のための特定のサブフレームに関連する）信号の一部または全部の送信および受信が並列および／または同時であり得る全二重無線を含み得る。全二重無線は、ハードウェア（例えば、チョーク）またはプロセッサ（例えば、別個のプロセッサ（図示せず）またはプロセッサ１１８）を介した信号処理のいずれかを介して自己干渉を小さくするかおよび／または実質的になくすために干渉管理ユニットを含み得る。一実施形態では、ＷＴＲＵ１０２は、（例えば、（例えば、送信のための）ＵＬまたは（例えば、受信のための）ダウンリンクのいずれかのための特定のサブフレームに関連する）信号の一部または全部の送信および受信のための半二重無線を含み得る。
【００３１】
図１Ｃは、一実施形態による、ＲＡＮ１０４およびＣＮ１０６を示すシステム図である。上記のように、ＲＡＮ１０４は、エアインターフェース１１６を介してＷＴＲＵ１０２ａ、１０２ｂ、１０２ｃと通信するためにＥ−ＵＴＲＡ無線技術を採用し得る。ＲＡＮ１０４はまた、ＣＮ１０６と通信していることがある。
【００３２】
ＲＡＮ１０４は、ｅノードＢ１６０ａ、１６０ｂ、１６０ｃを含み得るが、ＲＡＮ１０４が、実施形態に一致したままでありながら、任意の数のｅノードＢを含み得ることを諒解されよう。ｅノードＢ１６０ａ、１６０ｂ、１６０ｃはそれぞれ、エアインターフェース１１６を介してＷＴＲＵ１０２ａ、１０２ｂ、１０２ｃと通信するための１つまたは複数のトランシーバを含み得る。一実施形態では、ｅノードＢ１６０ａ、１６０ｂ、１６０ｃは、ＭＩＭＯ技術を実装し得る。従って、ｅノードＢ１６０ａは、例えば、ＷＴＲＵ１０２ａに無線信号を送信するおよび／またはそれから無線信号を受信するために複数のアンテナを使用し得る。
【００３３】
ｅノードＢ１６０ａ、１６０ｂ、１６０ｃの各々は、特定のセル（図示せず）に関連付けられ、無線リソース管理決定、ハンドオーバ決定、ＵＬおよび／またはＤＬにおけるユーザのスケジューリングなどを扱うように構成され得る。図１Ｃに示すように、ｅノードＢ１６０ａ、１６０ｂ、１６０ｃは、Ｘ２インターフェースを介して互いと通信し得る。
【００３４】
図１Ｃに示すＣＮ１０６は、モビリティ管理エンティティ（ＭＭＥ）１６２と、サービングゲートウェイ（ＳＧＷ）１６４と、パケットデータネットワーク（ＰＤＮ）ゲートウェイ（またはＰＧＷ）１６６とを含み得る。上記の要素の各々がＣＮ１０６の一部として示されているが、これらの要素のいずれかがＣＮオペレータ以外のエンティティによって所有および／または動作され得ることを諒解されよう。
【００３５】
ＭＭＥ１６２は、Ｓ１インターフェースを介してＲＡＮ１０４中のｅノードＢ１６２ａ、１６２ｂ、１６２ｃの各々に接続され、制御ノードとして働き得る。例えば、ＭＭＥ１６２は、ＷＴＲＵ１０２ａ、１０２ｂ、１０２ｃのユーザを認証すること、ベアラのアクティブ化／非アクティブ化、ＷＴＲＵ１０２ａ、１０２ｂ、１０２ｃの初期アタッチ（initial attach）中に特定のサービングゲートウェイを選択することなどを担当し得る。ＭＭＥ１６２は、ＲＡＮ１０４とＧＳＭおよび／またはＷＣＤＭＡなどの他の無線技術を採用する他のＲＡＮ（図示せず）との間で切り替えるための制御プレーン機能を与え得る。
【００３６】
ＳＧＷ１６４は、Ｓ１インターフェースを介してＲＡＮ１０４中のｅノードＢ１６０ａ、１６０ｂ、１６０ｃの各々に接続され得る。ＳＧＷ１６４は、概して、ＷＴＲＵ１０２ａ、１０２ｂ、１０２ｃとの間でユーザデータパケットをルーティングおよび転送し得る。ＳＧＷ１６４は、ｅノードＢ間のハンドオーバ中にユーザプレーンをアンカリングすること、ＤＬデータがＷＴＲＵ１０２ａ、１０２ｂ、１０２ｃのために利用可能であるときにページングをトリガすること、ＷＴＲＵ１０２ａ、１０２ｂ、１０２ｃのコンテキストを管理および記憶することなどの他の機能を実行し得る。
【００３７】
ＳＧＷ１６４は、ＷＴＲＵ１０２ａ、１０２ｂ、１０２ｃとＩＰ対応デバイスとの間の通信を容易にするためにインターネット１１０などのパケット交換ネットワークへのアクセスをＷＴＲＵ１０２ａ、１０２ｂ、１０２ｃに与え得るＰＧＷ１６６に接続され得る。
【００３８】
ＣＮ１０６は、他のネットワークとの通信を容易にし得る。例えば、ＣＮ１０６は、ＷＴＲＵ１０２ａ、１０２ｂ、１０２ｃと従来の固定通信デバイスとの間の通信を容易にするためにＰＳＴＮ１０８などの回線交換ネットワークへのアクセスをＷＴＲＵ１０２ａ、１０２ｂ、１０２ｃに与え得る。例えば、ＣＮ１０６は、ＣＮ１０６とＰＳＴＮ１０８との間のインターフェースとして働くＩＰゲートウェイ（例えば、ＩＰマルチメディアサブシステム（ＩＭＳ）サーバ）を含み得るかまたはそれと通信し得る。さらに、ＣＮ１０６は、他のサービスプロバイダによって所有および／または動作される他の有線および／または無線ネットワークを含み得る他のネットワーク１１２へのアクセスをＷＴＲＵ１０２ａ、１０２ｂ、１０２ｃに与え得る。
【００３９】
ＷＴＲＵが無線端末として図１Ａ〜図１Ｄに記載されているが、そのような端末が（例えば、一時的にまたは永続的に）使用し得るいくつかの代表的な実施形態では、有線通信が通信ネットワークとインターフェースすると考えられる。
【００４０】
代表的な実施形態では、他のネットワーク１１２は、ＷＬＡＮであり得る。
【００４１】
インフラストラクチャ基本サービスセット（ＢＳＳ）モードのＷＬＡＮは、ＢＳＳのためのアクセスポイント（ＡＰ）とＡＰに関連する１つまたは複数の局（ＳＴＡ）とを有し得る。ＡＰは、配信システム（ＤＳ）またはＢＳＳを出入りするトラフィックを搬送する別のタイプの有線／無線ネットワークへのアクセスまたはインターフェースを有し得る。ＢＳＳの外部から発信するＳＴＡへのトラフィックは、ＡＰを通して到着し得、ＳＴＡに送出され得る。ＢＳＳ外の宛先にＳＴＡから発信されたトラフィックは、それぞれの宛先に配信されるためにＡＰに送られ得る。ＢＳＳ内のＳＴＡ間のトラフィックは、ＡＰを通して送られることがあり、例えば、ここで、ソースＳＴＡはＡＰにトラフィックを送り得、ＡＰは、宛先ＳＴＡにトラフィックを送出し得る。ＢＳＳ内のＳＴＡ間のトラフィックは、ピアツーピアトラフィックと見なされる、および／またはそう呼ばれることがある。ピアツーピアトラフィックは、ダイレクトリンクセットアップ（ＤＬＳ）を用いてソースＳＴＡと宛先ＳＴＡとの間で（例えば、それらの間で直接）送られ得る。いくつかの代表的な実施形態では、ＤＬＳは、８０２．１１ｅＤＬＳまたは８０２．１１ｚトンネリングされたＤＬＳ（ＴＤＬＳ：tunneled DLS）を使用し得る。独立ＢＳＳ（ＩＢＳＳ）モードを使用するＷＬＡＮはＡＰを有しないことがあり、ＩＢＳＳ内のまたはそれを使用するＳＴＡ（例えば、ＳＴＡの全て）は互いに直接通信し得る。ＩＢＳＳ通信モードは、時々、本明細書では「アドホック」通信モードと呼ぶことがある。
【００４２】
８０２．１１ａｃインフラストラクチャ動作モードまたは同様の動作モードを使用するとき、ＡＰは、１次チャネルなどの固定チャネル上でビーコンを送信し得る。１次チャネルは、固定幅（例えば、２０ＭＨｚ幅の帯域幅）であるか、またはシグナリングを介して動的に設定された幅であり得る。１次チャネルは、ＢＳＳの動作チャネルであり得、ＡＰとの接続を確立するためにＳＴＡによって使用され得る。いくつかの代表的な実施形態では、キャリア検知多重アクセス／衝突回避（ＣＳＭＡ／ＣＡ）が、例えば、８０２．１１システム中に実装され得る。ＣＳＭＡ／ＣＡでは、ＡＰを含むＳＴＡ（例えば、あらゆるＳＴＡ）が１次チャネルを感知し得る。１次チャネルが特定のＳＴＡによって感知／検出されるおよび／またはビジーであると決定される場合、特定のＳＴＡはバックオフし得る。１つのＳＴＡ（例えば、ただ１つの局）が、所与のＢＳＳ中で任意の所与の時間に送信し得る。
【００４３】
高スループット（ＨＴ）のＳＴＡは、４０ＭＨｚ幅のチャネルを形成するために、例えば、隣接するまたは隣接していない２０ＭＨｚのチャネルとの１次の２０ＭＨｚのチャネルの組合せを介した通信のために４０ＭＨｚ幅のチャネルを使用し得る。
【００４４】
極高スループット（ＶＨＴ）のＳＴＡは、２０ＭＨｚ、４０ＭＨｚ、８０ＭＨｚ、および／または１６０ＭＨｚ幅のチャネルをサポートし得る。４０ＭＨｚおよび／または８０ＭＨｚのチャネルは、連続する２０ＭＨｚのチャネルを組み合わせることによって形成され得る。１６０ＭＨｚのチャネルは、８つの連続する２０ＭＨｚのチャネルを組み合わせることによって、または８０＋８０構成と呼ばれることがある２つの不連続の８０ＭＨｚのチャネルを組み合わせることによって形成され得る。８０＋８０構成では、データは、チャネル符号化後に、２つのストリームにデータを分割し得るセグメントパーサを通してパスされ得る。逆高速フーリエ変換（ＩＦＦＴ）処理と時間領域処理とが別々に各ストリームに対して行われ得る。ストリームは、２つの８０ＭＨｚのチャネル上にマッピングされ得、データは、送信ＳＴＡによって送信され得る。受信ＳＴＡの受信機では、８０＋８０構成について上記で説明した動作が逆行され得、組み合わされたデータが媒体アクセス制御（ＭＡＣ）に送られ得る。
【００４５】
８０２．１１ａｆおよび８０２．１１ａｈによってサブ１ＧＨｚ動作モードがサポートされる。チャネル動作帯域幅およびキャリアは、８０２．１１ｎおよび８０２．１１ａｃで使用されるものと比較して８０２．１１ａｆおよび８０２．１１ａｈでは低減される。８０２．１１ａｆは、ＴＶホワイトスペース（ＴＶＷＳ）スペクトル中の５ＭＨｚ、１０ＭＨｚ、および２０ＭＨｚの帯域幅をサポートし、８０２．１１ａｈは、非ＴＶＷＳスペクトルを使用して１ＭＨｚ、２ＭＨｚ、４ＭＨｚ、８ＭＨｚ、および１６ＭＨｚの帯域幅をサポートする。代表的な実施形態によれば、８０２．１１ａｈは、マクロカバレージエリア中のＭＴＣデバイスなどのメータ型制御／マシン型通信をサポートし得る。ＭＴＣデバイスは、いくつかの能力、例えば、いくつかのおよび／または限定された帯域幅のサポート（例えば、それだけのサポート）を含む限定された能力を有し得る。ＭＴＣデバイスは、（例えば、非常に長いバッテリー寿命を維持するために）しきい値を上回るバッテリー寿命をもつバッテリーを含み得る。
【００４６】
８０２．１１ｎ、８０２．１１ａｃ、８０２．１１ａｆ、および８０２．１１ａｈなどの複数のチャネルおよびチャネル帯域幅をサポートし得るＷＬＡＮシステムは、１次チャネルとして指定され得るチャネルを含む。１次チャネルは、ＢＳＳ中の全てのＳＴＡによってサポートされる最大の共通動作帯域幅に等しい帯域幅を有し得る。１次チャネルの帯域幅は、ＢＳＳ中で動作する全てのＳＴＡの中から、最小の帯域幅動作モードをサポートするＳＴＡによって設定および／または限定され得る。８０２．１１ａｈの例では、ＡＰおよびＢＳＳ中の他のＳＴＡが、２ＭＨｚ、４ＭＨｚ、８ＭＨｚ、１６ＭＨｚ、および／または他のチャネル帯域幅動作モードをサポートする場合でも、１次チャネルは、１ＭＨｚモードをサポートする（例えば、それだけをサポートする）ＳＴＡ（例えば、ＭＴＣタイプのデバイス）について１ＭＨｚ幅であり得る。キャリア検知および／またはネットワーク割振りベクトル（ＮＡＶ）の設定は、１次チャネルのステータスに依存し得る。例えば（１ＭＨｚ動作モードだけをサポートする）ＳＴＡのために１次チャネルがビジーである場合、周波数帯域の大部分がアイドルのままであり、利用可能であり得る場合であっても、ＡＰに利用可能な周波数帯域全体を送信することがビジーであると見なされ得る。
【００４７】
米国では、８０２．１１ａｈによって使用され得る利用可能な周波数帯域は、９０２ＭＨｚから９２８ＭＨｚまである。韓国では、利用可能な周波数帯域は、９１７．５ＭＨｚから９２３．５  ＭＨｚまである。日本では、利用可能な周波数帯域は、９１６．５ＭＨｚから９２７．５ＭＨｚまである。８０２．１１ａｈのために利用可能な総帯域幅は、国コードに応じて６ＭＨｚから２６ＭＨｚである。
【００４８】
図１Ｄは、一実施形態による、ＲＡＮ１１３およびＣＮ１１５を示すシステム図である。上記のように、ＲＡＮ１１３は、エアインターフェース１１６を介してＷＴＲＵ１０２ａ、１０２ｂ、１０２ｃと通信するためにＮＲ無線技術を採用し得る。ＲＡＮ１１３はまた、ＣＮ１１５と通信していることがある。
【００４９】
ＲＡＮ１１３は、ｇＮＢ１８０ａ、１８０ｂ、１８０ｃを含み得るが、ＲＡＮ１１３が、実施形態に一致したままでありながら、任意の数のｇＮＢを含み得ることを諒解されよう。ｇＮＢ１８０ａ、１８０ｂ、１８０ｃはそれぞれ、エアインターフェース１１６を介してＷＴＲＵ１０２ａ、１０２ｂ、１０２ｃと通信するための１つまたは複数のトランシーバを含み得る。一実施形態では、ｇＮＢ１８０ａ、１８０ｂ、１８０ｃは、ＭＩＭＯ技術を実装し得る。例えば、ｇＮＢ１８０ａ、１８０ｂは、ｇＮＢ１８０ａ、１８０ｂ、１８０ｃに信号を送信し、および／またはそれから信号を受信するためにビームフォーミングを利用し得る。従って、ｇＮＢ１８０ａは、例えば、ＷＴＲＵ１０２ａに無線信号を送信し、および／またはそれから無線信号を受信するために複数のアンテナを使用し得る。一実施形態では、ｇＮＢ１８０ａ、１８０ｂ、１８０ｃは、キャリアアグリゲーション技術を実装し得る。例えば、ｇＮＢ１８０ａは、ＷＴＲＵ１０２ａ（図示せず）に複数コンポーネントキャリアを送信し得る。これらのコンポーネントキャリアのサブセットは、無認可スペクトル上にあり得るが、残りのコンポーネントキャリアは、認可スペクトル上にあり得る。一実施形態では、ｇＮＢ１８０ａ、１８０ｂ、１８０ｃは、協調マルチポイント（ＣｏＭＰ）技術を実装し得る。例えば、ＷＴＲＵ１０２ａは、ｇＮＢ１８０ａおよびｇＮＢ１８０ｂ（および／またはｇＮＢ１８０ｃ）から協調送信を受信し得る。
【００５０】
ＷＴＲＵ１０２ａ、１０２ｂ、１０２ｃは、スケーラブルな数秘学（numerology）に関連する送信を使用してｇＮＢ１８０ａ、１８０ｂ、１８０ｃと通信し得る。例えば、ＯＦＤＭシンボル間隔および／またはＯＦＤＭサブキャリア間隔は、異なる送信、異なるセル、および／または無線送信スペクトルの異なる部分ごとに変動し得る。ＷＴＲＵ１０２ａ、１０２ｂ、１０２ｃは、（例えば、様々な数のＯＦＤＭシンボルを含んでいるおよび／または変動する長さの絶対時間の間続く）様々なまたはスケーラブルな長さのサブフレームまたは送信時間間隔（ＴＴＩ）を使用してｇＮＢ１８０ａ、１８０ｂ、１８０ｃと通信し得る。
【００５１】
ｇＮＢ１８０ａ、１８０ｂ、１８０ｃは、スタンドアロン構成および／または非スタンドアロン構成中のＷＴＲＵ１０２ａ、１０２ｂ、１０２ｃと通信するように構成され得る。スタンドアロン構成では、ＷＴＲＵ１０２ａ、１０２ｂ、１０２ｃは、他のＲＡＮ（例えば、ｅノードＢ１６０ａ、１６０ｂ、１６０ｃなど）にアクセスすることもなしにｇＮＢ１８０ａ、１８０ｂ、１８０ｃと通信し得る。スタンドアロン構成では、ＷＴＲＵ１０２ａ、１０２ｂ、１０２ｃは、モビリティアンカーポイントとしてｇＮＢ１８０ａ、１８０ｂ、１８０ｃのうちの１つまたは複数を利用し得る。スタンドアロン構成では、ＷＴＲＵ１０２ａ、１０２ｂ、１０２ｃは、無認可帯域中の信号を使用してｇＮＢ１８０ａ、１８０ｂ、１８０ｃと通信し得る。非スタンドアロン構成では、ＷＴＲＵ１０２ａ、１０２ｂ、１０２ｃは、ｅノードＢ１６０ａ、１６０ｂ、１６０ｃなどの別のＲＡＮとも通信しながら／それにも接続しながらｇＮＢ１８０ａ、１８０ｂ、１８０ｃと通信し得る／それに接続し得る。例えば、ＷＴＲＵ１０２ａ、１０２ｂ、１０２ｃは、１つまたは複数のｇＮＢ１８０ａ、１８０ｂ、１８０ｃおよび１つまたは複数のｅノードＢ１６０ａ、１６０ｂ、１６０ｃと実質的に同時に通信するためにＤＣ原理を実装し得る。非スタンドアロン構成では、ｅノードＢ１６０ａ、１６０ｂ、１６０ｃは、ＷＴＲＵ１０２ａ、１０２ｂ、１０２ｃのためのモビリティアンカーとして働き得、ｇＮＢ１８０ａ、１８０ｂ、１８０ｃは、ＷＴＲＵ１０２ａ、１０２ｂ、１０２ｃをサービスするための追加のカバレージおよび／またはスループットを与え得る。
【００５２】
ｇＮＢ１８０ａ、１８０ｂ、１８０ｃの各々は、特定のセル（図示せず）に関連付けられ得、無線リソース管理の決定、ハンドオーバの決定、ＵＬおよび／またはＤＬにおけるユーザのスケジューリング、ネットワークスライシングのサポート、デュアル接続性、ＮＲとＥ−ＵＴＲＡとの間の相互接続、ユーザプレーン機能（ＵＰＦ）１８４ａ、１８４ｂに向けたユーザプレーンデータのルーティング、アクセスおよびモビリティ管理機能（ＡＭＦ）１８２ａ、１８２ｂに向けた制御プレーン情報のルーティングなどを扱うように構成され得る。図１Ｄに示すように、ｇＮＢ１８０ａ、１８０ｂ、１８０ｃは、Ｘｎインターフェースを介して互いと通信し得る。
【００５３】
図１Ｄに示すＣＮ１１５は、少なくとも１つのＡＭＦ１８２ａ、１８２ｂと、少なくとも１つのＵＰＦ１８４ａ、１８４ｂと、少なくとも１つのセッション管理機能（ＳＭＦ）１８３ａ、１８３ｂと、場合によっては、データネットワーク（ＤＮ）１８５ａ、１８５ｂとを含み得る。上記の要素の各々がＣＮ１１５の一部として示されているが、これらの要素のいずれかがＣＮオペレータ以外のエンティティによって所有および／または動作され得ることを諒解されよう。
【００５４】
ＡＭＦ１８２ａ、１８２ｂは、Ｎ２インターフェースを介してＲＡＮ１１３中のｇＮＢ１８０ａ、１８０ｂ、１８０ｃのうちの１つまたは複数に接続され得、制御ノードとして働き得る。例えば、ＡＭＦ１８２ａ、１８２ｂは、ＷＴＲＵ１０２ａ、１０２ｂ、１０２ｃのユーザを認証すること、ネットワークスライシング（例えば、異なる要件をもつ異なるＰＤＵセッションの扱い）のサポート、特定のＳＭＦ１８３ａ、１８３ｂを選択すること、登録エリアの管理、ＮＡＳシグナリングの終了、モビリティ管理などを担当し得る。ネットワークスライシングは、利用されたＷＴＲＵ１０２ａ、１０２ｂ、１０２ｃであるサービスのタイプに基づいてＷＴＲＵ１０２ａ、１０２ｂ、１０２ｃのＣＮのサポートをカスタマイズするために、ＡＭＦ１８２ａ、１８２ｂによって使用され得る。例えば、異なるネットワークスライスは、超高信頼低遅延（ＵＲＬＬＣ）アクセスに依拠するサービス、拡張大規模モバイルブロードバンド（ｅＭＢＢ：enhanced massive mobile broadband）アクセスに依拠するサービス、マシン型通信（ＭＴＣ）アクセスのサービスなどの異なる使用事例のために確立され得る。ＡＭＦ１６２は、ＲＡＮ１１３とＬＴＥ、ＬＴＥ−Ａ、ＬＴＥ−Ａ  Ｐｒｏ、および／またはＷｉＦｉなどの非３ＧＰＰアクセス技術などの他の無線技術を採用する他のＲＡＮ（図示せず）との間で切り替えるための制御プレーン機能を与え得る。
【００５５】
ＳＭＦ１８３ａ、１８３ｂは、Ｎ１１インターフェースを介してＣＮ１１５中のＡＭＦ１８２ａ、１８２ｂに接続され得る。ＳＭＦ１８３ａ、１８３ｂはまた、Ｎ４インターフェースを介してＣＮ１１５中のＵＰＦ１８４ａ、１８４ｂに接続され得る。ＳＭＦ１８３ａ、１８３ｂは、ＵＰＦ１８４ａ、１８４ｂを選択および制御し、ＵＰＦ１８４ａ、１８４ｂを通してトラフィックのルーティングを構成し得る。ＳＭＦ１８３ａ、１８３ｂは、ＵＥのＩＰアドレスを管理し、割り振ること、ＰＤＵセッションを管理すること、ポリシーの実施およびＱｏＳを制御すること、ダウンリンクデータの通知を与えることなどの他の機能を実行し得る。ＰＤＵセッションのタイプは、ＩＰベースのもの、非ＩＰベースのもの、イーサネットベースのものなどであり得る。
【００５６】
ＵＰＦ１８４ａ、１８４ｂは、ＷＴＲＵ１０２ａ、１０２ｂ、１０２ｃとＩＰ対応デバイスとの間の通信を容易にするためにインターネット１１０などのパケット交換ネットワークへのアクセスをＷＴＲＵ１０２ａ、１０２ｂ、１０２ｃに与え得るＮ３インターフェースを介してＲＡＮ１１３中のｇＮＢ１８０ａ、１８０ｂ、１８０ｃのうちの１つまたは複数に接続され得る。ＵＰＦ１８４、１８４ｂは、パケットをルーティングおよび転送すること、ユーザプレーンのポリシーを強制すること、マルチホームＰＤＵセッションをサポートすること、ユーザプレーンＱｏＳを扱うこと、ダウンリンクパケットをバッファリングすること、モビリティアンカリングを与えることなどの他の機能を実行し得る。
【００５７】
ＣＮ１１５は、他のネットワークとの通信を容易にし得る。例えば、ＣＮ１１５は、ＣＮ１１５とＰＳＴＮ１０８との間のインターフェースとして働くＩＰゲートウェイ（例えば、ＩＰマルチメディアサブシステム（ＩＭＳ）サーバ）を含み得るかまたはそれと通信し得る。さらに、ＣＮ１１５は、他のサービスプロバイダによって所有および／または動作される他の有線および／または無線ネットワークを含み得る他のネットワーク１１２へのアクセスをＷＴＲＵ１０２ａ、１０２ｂ、１０２ｃに与え得る。一実施形態では、ＷＴＲＵ１０２ａ、１０２ｂ、１０２ｃは、ＵＰＦ１８４ａ、１８４ｂへのＮ３インターフェースとＵＰＦ１８４ａ、１８４ｂとＤＮ１８５ａ、１８５ｂとの間のＮ６インターフェースとを介してＵＰＦ１８４ａ、１８４ｂを通してローカルデータネットワーク（ＤＮ）１８５ａ、１８５ｂに接続され得る。
【００５８】
図１Ａ〜図１Ｄおよび図１Ａ〜図１Ｄの対応する説明に鑑みて、ＷＴＲＵ１０２ａ〜ｄ、基地局１１４ａ〜ｂ、ｅノードＢ１６０ａ〜ｃ、ＭＭＥ１６２、ＳＧＷ１６４、ＰＧＷ１６６、ｇＮＢ１８０ａ〜ｃ、ＡＭＦ１８２ａ〜ｂ、ＵＰＦ１８４ａ〜ｂ、ＳＭＦ１８３ａ〜ｂ、ＤＮ１８５ａ〜ｂ、および／または本明細書で説明する任意の他のデバイスのうちの１つまたは複数に関して本明細書で説明する機能のうちの１つもしくは複数または全ては、１つまたは複数のエミュレーションデバイス（図示せず）によって実行され得る。エミュレーションデバイスは、本明細書で説明する機能のうちの１つもしくは複数または全てをエミュレートするように構成された１つまたは複数のデバイスであり得る。例えば、エミュレーションデバイスは、他のデバイスをテストする、並びに／またはネットワークおよび／もしくはＷＴＲＵ機能をシミュレートするために使用され得る。
【００５９】
エミュレーションデバイスは、ラボ環境でおよび／またはオペレータネットワーク環境で他のデバイスの１つまたは複数のテストを実施するように設計され得る。例えば、１つまたは複数のエミュレーションデバイスは、通信ネットワーク内の他のデバイスをテストするために有線および／または無線通信ネットワークの一部として完全にまたは部分的に実装および／または展開されながら、１つもしくは複数または全ての機能を実行し得る。１つまたは複数のエミュレーションデバイスは、有線および／または無線通信ネットワークの一部として一時的に実装／展開されながら、１つもしくは複数または全ての機能を実行し得る。エミュレーションデバイスは、無線通信を使用してテストするおよび／またはテストを実行可能にするために別のデバイスに直接結合され得る。
【００６０】
１つまたは複数のエミュレーションデバイスは、有線および／または無線通信ネットワークの一部として実装／展開されることなしに、全てを含む１つまたは複数の機能を実行し得る。例えば、エミュレーションデバイスは、１つまたは複数の構成要素のテストを実施するために試験所並びに／または展開されていない（例えば、テスト用の）有線および／もしくは無線通信ネットワーク中のテストシナリオで利用され得る。１つまたは複数のエミュレーションデバイスは、テスト機器であり得る。データを送信および／または受信するためにエミュレーションデバイスによって、直接ＲＦ結合および／または（例えば、１つまたは複数のアンテナを含み得る）ＲＦ回路を介した無線通信が使用され得る。
【００６１】
ＷＬＡＮは、ＢＳＳのためのアクセスポイント（ＡＰ／パーソナルＢＳＳ協調ポイント（ＰＣＰ））とＡＰ／ＰＣＰに関連する１つまたは複数の局（ＳＴＡ）とを有し得るインフラストラクチャ基本サービスセット（ＢＳＳ）モードを有し得る。ＡＰ／ＰＣＰは、配信システム（ＤＳ）またはＢＳＳを出入りするトラフィックを搬送し得る別のタイプの有線および／もしくは無線ネットワークへのアクセスまたはインターフェースを有し得る。ＢＳＳの外部から発信し得るＳＴＡへのトラフィックは、ＡＰ／ＰＣＰを通して到着し得、ＳＴＡに送出され得る。ＢＳＳ外の宛先にＳＴＡから発信され得るトラフィックは、ＡＰ／ＰＣＰに送られ得、それぞれの宛先に送出され得る。ＢＳＳ内のＳＴＡ間のトラフィックは（例えば、また）、ＡＰ／ＰＣＰを通して送られ得、ここで、ソースＳＴＡは、ＡＰ／ＰＣＰにトラフィックを送り得、ＡＰ／ＰＣＰは、宛先ＳＴＡにトラフィックを送出し得る。ＢＳＳ内のＳＴＡ間のトラフィックは、ピアツーピアトラフィックであり得る。ピアツーピアトラフィックは、８０２．１１ｅダイレクトリンクセットアップ（ＤＬＳ）または８０２．１１ｚトンネリングされたＤＬＳ（ＴＤＬＳ）を使用し得るＤＬＳを用いるソースＳＴＡと宛先ＳＴＡとの間で送られ得、直接送られ得る。ＷＬＡＮは、独立ＢＳＳ（ＩＢＳＳ）モードを使用し得る。ＷＬＡＮは、ＡＰ／ＰＣＰおよび／またはＳＴＡを有しないことがある。ＷＬＡＮは、別のＷＬＡＮと（例えば、直接）通信し得る。この通信モードは、アドホック通信モードと呼ばれることがある。
【００６２】
ＡＰ／ＰＣＰは、８０２．１１ａｃインフラストラクチャ動作モードを使用し得る。ＡＰ／ＰＣＰは、ビーコンを送信し得、固定チャネルなどを行い得る。固定チャネルは、１次チャネルであり得る。チャネルは、２０ＭＨｚ幅であり得、ＢＳＳの動作チャネルであり得る。チャネルは、ＳＴＡによって使用され得、ＡＰ／ＰＣＰとの接続を確立するために使用され得る。８０２．１１システム中の（例えば、基本）チャネルアクセス機構は、キャリア検知多重アクセス／衝突回避（ＣＳＭＡ／ＣＡ）であり得る。ＳＴＡ（例えば、ここで、ＳＴＡはＡＰ／ＰＣＰを含み得る）は、例えば、ＣＳＭＡ／ＣＡ中で１次チャネルを感知し得る。チャネルは、ビジーであると検出され得る。例えば、チャネルがビジーであると検出されると、ＳＴＡはバックオフし得る。ＳＴＡは、（例えば、ＣＳＭＡ／ＣＡを使用して）所与のＢＳＳ中で任意の所与の時間に送信し得る。
【００６３】
８０２．１１ｎでは、高スループット（ＨＴ）のＳＴＡは、通信のために４０ＭＨｚ幅のチャネルを使用し得る。これは、例えば、１次の２０ＭＨｚのチャネルを隣接する２０ＭＨｚのチャネルと組み合わせて４０ＭＨｚ幅の連続するチャネルを形成することによって達成され得る。
【００６４】
８０２．１１ａｃでは、極高スループット（ＶＨＴ）のＳＴＡは、２０ＭＨｚ、４０ＭＨｚ、８０ＭＨｚ、および／または１６０ＭＨｚ幅のチャネルをサポートし得る。例えば、４０ＭＨｚおよび８０ＭＨｚのチャネルは、例えば、８０２．１１ｎと同様の連続する２０ＭＨｚのチャネルを組み合わせることによって形成され得る。１６０ＭＨｚのチャネルは、例えば、８つの連続する２０ＭＨｚのチャネルを組み合わせることによって、または８０＋８０構成と呼ばれることがある２つの不連続の８０ＭＨｚのチャネルを組み合わせることによって形成され得る。データは、チャネル符号化され、（例えば、チャネル符号化後に）セグメントパーサを通してパスされ得る。セグメントパーサは、データをストリーム（例えば、２つのストリーム）に分割し得る。逆高速フーリエ変換（ＩＦＦＴ）および／または時間領域処理は、ストリームに対して（例えば、各ストリームに対して別々に）実行され得る。チャネル上に１つまたは複数のストリーム（例えば、チャネルに各ストリームまたは２つのチャネルに２つのストリーム）をマッピングし得る。データが送信され得る。受信機は逆処理を実行し得、組み合わされたデータは、ＭＡＣに送られ得る。
【００６５】
８０２．１１ａｆおよび／または８０２．１１ａｈによってサブ１ＧＨｚ動作モードがサポートされ得る。チャネル動作帯域幅およびキャリアが、例えば、８０２．１１ｎおよび／または８０２．１１ａｃにおいて使用されているものに対して低減され得る。８０２．１１ａｆは、例えば、ＴＶホワイトスペース（ＴＶＷＳ）スペクトル中の５ＭＨｚ、１０ＭＨｚ、および／または２０ＭＨｚの帯域幅をサポートし得る。８０２．１１ａｈは、例えば、非ＴＶＷＳスペクトルを使用する１ＭＨｚ、２ＭＨｚ、４ＭＨｚ、８ＭＨｚ、および／または１６ＭＨｚの帯域幅をサポートし得る。例えば、８０２．１１ａｈは、マクロカバレージエリア中の１つまたは複数のメータ型制御／マシン型通信（ＭＴＣ）デバイスをサポートし得る。ＭＴＣデバイスは、限定された能力を有し得、限定された帯域幅をサポートし得る。ＭＴＣデバイスは、長いバッテリー寿命をサポートし得る。
【００６６】
８０２．１１ｎ、８０２．１１ａｃ、８０２．１１ａｆ、および／または８０２．１１ａｈなどの複数のチャネルおよびチャネル幅をサポートするＷＬＡＮシステムは、１次チャネルとして指定されたチャネルを含み得る。１次チャネルは、ＢＳＳ中の１つまたは複数の（例えば、全ての）ＳＴＡによってサポートされる共通動作帯域幅（例えば、最大の共通動作帯域幅）に（例えば、ほぼ）等しい帯域幅を有し得る。１次チャネルの帯域幅は、ＢＳＳで動作する１つまたは複数の（例えば、全ての）ＳＴＡによって限定され得る。１次チャネルの帯域幅は、最小の帯域幅動作モードをサポートするＳＴＡによって限定され得る。（例えば、８０２．１１ａｈのための）例では、例えば、１ＭＨｚモードをサポートする（例えば、それだけをサポートする）ＳＴＡ（例えば、ＭＴＣタイプのデバイス）があり得るとき（例えば、ＡＰ／ＰＣＰおよびＢＳＳ中の他のＳＴＡが、２ＭＨｚ、４ＭＨｚ、８ＭＨｚ、１６ＭＨｚまたは他のチャネル帯域幅動作モードをサポートし得るときでも）、１次チャネルは１ＭＨｚ幅であり得る。キャリア検知および／またはＮＡＶ設定は、例えば、１次チャネルのステータスに依存し得る。例では、１次チャネルは、例えば、１ＭＨｚ動作モードをサポートする（例えば、それのみをサポートする）ＳＴＡがＡＰ／ＰＣＰに送信していることによりビジーであり得る。周波数帯域（例えば、周波数帯域の大部分）がアイドルであり、利用可能であり得るとしても、利用可能な周波数帯域（例えば、利用可能な周波数帯域全体）がビジーと見なされ得る。
【００６７】
米国において８０２．１１ａｈによって使用され得る利用可能な周波数帯域は、９０２ＭＨｚから９２８ＭＨｚまでの範囲にあり得る。韓国において使用され得る利用可能な周波数帯域は、９１７．５ＭＨｚから９２３．５ＭＨｚまでの範囲にあり得る。日本において使用され得る利用可能な周波数帯域は、９１６．５ＭＨｚから９２７．５ＭＨｚまでの範囲にあり得る。８０２．１１ａｈのために利用可能な総帯域幅は、例えば、６ＭＨｚから２６ＭＨｚであり得、例えば、これは、国コードに依存し得る。
【００６８】
８０２．１１ａｃは、例えば、ダウンリンクＯＦＤＭシンボル中に、同じシンボルの時間フレーム中で複数のＳＴＡへのダウンリンクマルチユーザＭＩＭＯ（ＭＵ−ＭＩＭＯ）送信をサポートし得る。ダウンリンクＭＵ−ＭＩＭＯが８０２．１１ａｈにおいて使用され得る。（例えば、８０２．１１ａｃにおける）ダウンリンクＭＵ−ＭＩＭＯは、複数のＳＴＡに同じシンボルタイミングを使用し得る。複数のＳＴＡへの波形送信の干渉が問題にならないことがある。ＡＰ／ＰＣＰとのＭＵ−ＭＩＭＯ送信に関与し得る１つまたは複数の（例えば、全ての）ＳＴＡは、同じチャネルまたは帯域を使用し得る。動作帯域幅は、ＡＰ／ＰＣＰとのＭＵ−ＭＩＭＯ送信においてＳＴＡによってサポートされる最小チャネル帯域幅であり得る。
【００６９】
８０２．１１ａｄは、例えば、６０ＧＨｚの帯域において超高スループット（ＶＨＴ）のためのＭＡＣおよびＰＨＹレイヤをサポートし得る。８０２．１１ａｄは、７ギガビット／秒までのデータレートをサポートし得る。８０２．１１ａｄは、（例えば、３つの）異なる変調モード（例えば、シングルキャリアおよびスペクトラム拡散を用いる制御ＰＨＹ、シングルキャリアＰＨＹ、およびＯＦＤＭ  ＰＨＹ）をサポートし得る。８０２．１１ａｄは、６０ＧＨｚの無認可帯域および／または世界的に利用可能であり得る帯域を使用し得る。６０ＧＨｚでは、波長は５ｍｍになり得る。コンパクトなアンテナまたはアンテナアレイが６０ＧＨｚで使用され得る。アンテナは、（例えば、送信機と受信機との両方において）狭ＲＦビームを作成し得る。狭ＲＦビームは、カバレージ範囲を増加させ得、干渉を低減し得る。８０２．１１ａｄのフレーム構造は、ビームフォーミングトレーニング（例えば、発見および追跡）のための機構を容易にし得る。ビームフォーミングトレーニングプロトコルは、２つの構成要素、例えば、セクタレベルスイープ（ＳＬＳ）プロシージャとビーム改良プロトコル（ＢＲＰ）プロシージャとを含み得る。ＳＬＳプロシージャは、（例えば、粗い）送信および受信ビームフォーミングトレーニングのために使用され得る。ＢＲＰプロシージャにより、送信および／または受信ビームの（例えば、反復）改良が可能になり得る。ＭＩＭＯ送信（例えば、ＳＵ−ＭＩＭＯおよびＭＵ−ＭＩＭＯ）は、８０２．１１ａｄによってサポートされないことがある。
【００７０】
図２は、セクタレベルスイープ（ＳＬＳ）トレーニングの一例である。ＳＬＳトレーニングは、例えば、ビーコンフレームまたはセクタスイープ（ＳＳＷ）フレームを使用して実行され得る。ＡＰ／ＰＣＰは、各ビーコン間隔（Ｂｌ）内で複数のビーム／セクタをもつビーコンフレームを繰り返し得る。複数のＳＴＡは、ＢＦトレーニングを同時に実行し得る。ＡＰ／ＰＣＰは、（例えば、ビーコンフレームのサイズにより）１つのＢｌ内の１つまたは複数の（例えば、全ての）セクタ／ビームをスイープすることができないことがある。ＳＴＡは、１つまたは複数のＢＩが、イニシエータセクタスイープ（ＩＳＳ）トレーニングを完了するのを待ち得る。レイテンシが発生し得る。ＳＳＷフレームは、（例えば、ポイントツーポイントＢＦトレーニングのために）利用され得る。ＳＳＷフレームは、（例えば、制御ＰＨＹを使用して）、例えば、（例えば、図３に示すように）ＳＳＷフレームフォーマットを使用して送信され得る。
【００７１】
図３は、選択セクタスイープ（ＳＳＷ：selection sector sweep）フレームのための例示的なフォーマットである。
【００７２】
図４は、ＳＳＷフレーム中のＳＳＷフィールドのための例示的なフォーマットである。
【００７３】
図５は、ＳＳＷフレーム中のＳＳＷフィードバックフィールドの一例である。
【００７４】
図６は、ビーム改良プロトコル（ＢＲＰ）フレームおよびトレーニング（ＴＲＮ）フィールドを搬送する例示的な物理（ＰＨＹ）レイヤコンバージェンスプロシージャ（ＰＬＣＰ）プロトコルデータユニット（ＰＰＤＵ）である。ビームフォーミング改良プロトコル（ＢＲＰ）は、ＳＴＡが（例えば、送信および／または受信のために）それのアンテナ構成（例えば、またはアンテナ重みベクトル）を改善し得る処理であり得る。ＢＲＰパケットは、受信機および／または送信機アンテナをトレーニングするために（例えば、ビーム改良プロシージャにおいて）使用され得る。２つのタイプのＢＲＰパケット、例えば、ビームフォーミング改良プロトコル受信機（ＢＲＰ−ＲＸ）パケットとビームフォーミング改良プロトコル送信機（ＢＲＰ−ＴＸ）パケットとがあり得る。ＢＲＰパケットは、ＤＭＧ  ＰＰＤＵによって搬送され得、トレーニングフィールドが続き得る。トレーニングフィールドは、（例えば、図６に示すように）ＡＧＣフィールドを含み得、送信機または受信機トレーニングフィールドを含み得る。
【００７５】
（例えば、図６中の）Ｎの値は、トレーニング長（例えば、ヘッダフィールド中に与えられるトレーニング長）であり得る。トレーニング長は、ＡＧＣが４Ｎ個のサブフィールドを有し得ることを示し得、ＴＲＮ−Ｒ／Ｔフィールドが５Ｎ個のサブフィールドを有し得ることを示し得る。ＣＥサブフィールドは、プリアンブル中のＣＥサブフィールドと同じまたは同様であり得る。ビームトレーニングフィールド中の１つまたは複数の（例えば、全ての）サブフィールドが、例えば、回転π／２−ＢＰＳＫ変調を使用して送信され得る。ＢＲＰ  ＭＡＣフレームは、動作無ＡＣＫ（Action No ACK）フレームであり得、例えば、カテゴリ（Category）、無保護ＤＭＧ動作（Unprotected DMG Action）、ダイアログトークン（Dialog Token）、ＢＲＰ要求（BRP Request）フィールド、ＤＭＧビーム改良（DMG Beam Refinement）要素、および／またはチャネル測定フィードバック要素１からチャネル測定フィードバック要素ｋのフィールドのうちの１つまたは複数を有し得る。
【００７６】
図７は、ＤＭＧ  ＰＰＤＵフォーマットの一例である。８０２．１１ａｄは、例えば、４つのＰＨＹ（例えば、シングルキャリア（ＳＣ）ＰＨＹ、ＯＦＤＭ  ＰＨＹ、制御ＰＨＹ、および／または低電力ＳＣ  ＰＨＹ）をサポートし得る。ＰＨＹは、同じフィールドを共有してまたは共有せずに同じパケット構造を共有し得る。
【００７７】
指向性マルチギガビット（ＤＭＧ）ヘッダが与えられ得る。ＳＣ  ＰＨＹでは、ヘッダは、以下のフィールドのうちの１つまたは複数を含み得る。ヘッダは、スクランブラ初期化（scrambler initialization）フィールドを含み得る。スクランブラ開始（scrambler initiation）フィールドは、１つまたは複数のビット（例えば、７ビット）であり得る。ヘッダは、ベースの変調符号化セット（ＭＣＳ）フィールドを含み得る。ベースのＭＣＳフィールドは、１つまたは複数のビット（例えば、５ビット）であり得る。ヘッダは、長さフィールドを含み得る。長さフィールドは、１つまたは複数のビット（例えば、１８ビット）であり得る。ヘッダは、追加のＰＬＣＰプロトコルデータユニット（ＰＰＤＵ）フィールドを含み得る。追加のＰＰＤＵフィールドは、１つまたは複数のビット（例えば、１ビット）であり得る。ヘッダは、パケットタイプフィールドを含み得る。パケットタイプフィールドは、１つまたは複数のビット（例えば、１ビット）であり得る。ヘッダは、トレーニング長フィールドを含み得る。トレーニング長フィールドは、１つまたは複数のビット（例えば、５ビット）であり得る。ヘッダは、アグリゲーションフィールドを含み得る。アグリゲーションフィールドは、１つまたは複数のビット（例えば、１ビット）であり得る。ヘッダは、ビーム追跡要求フィールドを含み得る。ビーム追跡要求フィールドは、１つまたは複数のビット（例えば、１ビット）であり得る。ヘッダは、最後の受信信号強度指示（ＲＳＳＩ）フィールドを含み得る。最後のＲＳＳＩフィールドは、１つまたは複数のビット（例えば、４ビット）であり得る。ヘッダは、ターンアラウンドフィールドを含み得る。ターンアラウンドフィールドは、１つまたは複数のビット（例えば、１ビット）であり得る。ヘッダは、拡張されたＳＣ  ＭＣＳ指示フィールドを含み得る。拡張されたＳＣ  ＭＣＳ指示フィールドは、１つまたは複数のビット（例えば、１ビット）であり得る。ヘッダは、予約済みパラメータフィールドを含み得る。予約済みパラメータフィールドは、１つまたは複数のビット（例えば、３ビット）であり得る。ヘッダは、ヘッダチェックシーケンス（ＨＣＳ）パラメータフィールドを含み得る。ＨＣＳパラメータフィールドは、１つまたは複数のビット（例えば、１６ビット）であり得る。
【００７８】
ＩＥＥＥ８０２．１１ａｙ物理レイヤ（ＰＨＹ）およびＩＥＥＥ８０２．１１ａｙ媒体アクセス制御レイヤ（ＭＡＣ）は、（例えば、ＭＡＣデータサービスアクセスポイントにおいて測定される）少なくとも２０ギガビット毎秒の最大スループットをサポートすることが可能な少なくとも１つの動作モードを有し得、（例えば、局ごとの）電力効率を維持または改善し得る。ＩＥＥＥ８０２．１１ａｙ物理レイヤ（ＰＨＹ）およびＩＥＥＥ８０２．１１ａｙ媒体アクセス制御レイヤ（ＭＡＣ）は、後方互換性を有し得るおよび／または同じ帯域で動作する指向性マルチギガビット局（例えば、ＩＥＥＥ８０２．１１ａｄによって定義され得るレガシー局）と共存し得る４５ＧＨｚを上回る認可免除された帯域を有し得る。８０２．１１ａｙは、他の規格（例えば、レガシー規格）と同じ帯域で動作し得る。同じ帯域中でレガシー規格との後方互換性および／または共存があり得る。
【００７９】
図８は、チャネルボンディング対アグリゲーションフレームワークの一例である。８０２．１１ａｙは、ＭＩＭＯ、チャネルボンディング、および／またはチャネルアグリゲーションをサポートし得る。
【００８０】
チャネルボンディングおよびアグリゲーションの例では、Ｔｘ／Ｒｘペアのセットは、複数のコンポーネントチャネル（例えば、帯域）を介して送受信し得る。（例えば、８０２．１１システムにおける）１次チャネルは、完全なキャリア検知（例えば、物理および仮想）が維持され得るコンポーネントチャネルであり得る。８０２．１１の機能（例えば、ＡＰの関連付け、探査、および再関連付け）は、１次チャネル上で行われ得る。
【００８１】
チャネルボンディングの例では、Ｔｘ／Ｒｘペアは、データのための単一の送信チャネルとして複数のコンポーネントチャネルを使用し得る。チャネルアグリゲーションの例では、複数のコンポーネントチャネルは、独立して使用され得る（例えば、図８および図９を参照）。
【００８２】
ＷＬＡＮは、チャネルボンディングデータ送信をサポートし得る。
【００８３】
図９は、チャネルボンディングの例を与える。
【００８４】
送信機は、（例えば、図９の例１に示すように）ボンディングされるべきチャネル上で独立したＲＴＳフレームをもつ媒体を予約し得る。受信機は、ＣＴＳで返答し得る。送信機は、受信機にチャネルボンディングされたデータ送信を送り得る。ボンディングの指示は、例えば、ＲＴＳ中に、または送信されたデータフレームのプリアンブル中に配置され得る。受信機は、チャネルボンディングされたＡＣＫで返答し得る。送信機は、送信機会（ＴＸＯＰ）の予約を終了するために２つのＣＦ−ＥＮＤで返答し得る。
【００８５】
送信機は、（例えば、図９の例２に示すように）ボンディングされるべきチャネル上でＣＴＳツーセルフ（CTS-to-self）フレームをもつ媒体を予約し得る。送信機は、受信機にチャネルボンディングされたデータ送信を送り得る。ボンディングの指示は、例えば、ＲＴＳ中に、または送信されたデータフレームのプリアンブル中に配置され得る。受信機は、チャネルボンディングされたＡＣＫで返答し得る。
【００８６】
完全なキャリア検知（例えば、物理および／または仮想）は、１次チャネル上で維持され得る。
【００８７】
拡張指向性マルチギガビット（ＥＤＭＧ）ＳＴＡは、ピアＳＴＡへのチャネルボンディング送信を実行する意図を示すためにピアＥＤＭＧ  ＳＴＡにフレームを送信し得る。これにより、ＥＤＭＧ  ＳＴＡは、そのようなフレームを受信した後に複数のチャネルにわたって動作するように選択することが可能になり得、これは、電力を節約し得る。
【００８８】
８０２．１１ａｙは、（例えば、複数のチャネルを使用するときに）異なるチャネルに（例えば、個々に）に割り振られる複数のＳＴＡへのＰＣＰまたはＡＰによる同時送信をサポートし得る。
【００８９】
８０２．１１ａｙは、２つ以上のチャネルを介したおよび／またはボンディングされたチャネルを介したサービス期間（ＳＰ）およびスケジュールされた競合ベースのアクセス期間（ＣＢＡＰ）の割振りをサポートし得る。割振りは、１次チャネルを含むことも含まないこともある。例えば、異なるチャネルを介した割振りが時間的に重複するとき、割振りのソースおよび宛先は異なり得る。割振りのために使用されるチャネルは、ＢＳＳの動作チャネルに限定され得る。
【００９０】
図１０は、チャネル化の一例である。
【００９１】
チャネルボンディングおよびチャネルアグリゲーションがサポートされ得る。チャネルアグリゲーションモードの例は、例えば、２．１６ＧＨｚ＋２．１６ＧＨｚ、４．３２ＧＨｚ＋４．３２ＧＨｚ、および／または４．３２＋２．１６ＧＨｚのアグリゲーションモードであり得る。ＥＤＭＧヘッダＡ（例えば、ＥＤＭＧデバイスのためのＰＨＹヘッダ）は、例えば、（ｉ）帯域幅、（ｉｉ）（例えば、チャネルボンディングとチャネルアグリゲーションとを区別するための）チャネルボンディング、および／または（ｉｉｉ）１次チャネルのフィールドのうちの１つまたは複数を有し得る。
【００９２】
フィールドは、ＲＴＳ／ＣＴＳセットアップのための制御トレーラ中に含まれ得る。複製されたＲＴＳ／ＣＴＳ手法は、効率的なチャネルボンディング動作のために帯域幅情報を搬送し得る。
【００９３】
図１１は、ＥＤＭＧプリアンブルフォーマットの一例である。
【００９４】
図１２は、マルチチャネルマルチストリーム送信のためのＥＤＭＧプリアンブルの一例である。
【００９５】
ＥＤＭＧプリアンブルフォーマットは、ＭＩＭＯとのマルチチャネル送信のために使用され得る。プリアンブルの非ＥＤＭＧ部分のマルチストリーム送信は、サイクリックシフトを利用し得る。
【００９６】
ＥＤＭＧショートトレーニングフィールド（ＥＤＭＧ−ＳＴＦ）は、チャネルボンディングをサポートし得る。空間ストリーム「ｉ」のためのＥＤＭＧ−ＳＴＦフィールドは、Ｇｗｉシーケンスの複数の繰り返しから構築され得る。Ｇｗｉは、ゴレイシーケンスから構成され、ここで、Ｇｗｉ＝［ＧａｉＮ，ＧａｉＮ，ＧａｉＮ，−ＧａｉＮ］であり得る。Ｎは、シーケンス長（例えば、それぞれ、ＣＢ＝１、２、および４について１２８、２５６、および５１２）であり得る。ＣＢは、チャネルボンディングを指すことがある。チップ持続時間は、Ｔｃ＝０．５７ｎｓであり得る。
【００９７】
長さＮ＝２５６および５１２のゴレイシーケンスは、例えば、ＥＤＭＧ−ＳＴＦフィールドと同様に、２つおよび４つのチャネルボンディングのために使用され得る。
【００９８】
ＥＤＭＧヘッダＢフィールドは、ＭＩＭＯ送信のオプションであり得る。ＥＤＭＧヘッダＢのために、例えば、シングルキャリア（ＳＣ）ＰＨＹ  ＭＵ−ＭＩＭＯのために、符号化および変調方式が使用され得る。ＥＤＭＧヘッダＢフィールドは、２つのＳＣシンボルブロックを使用して送信され得る。
【００９９】
例では、（例えば、各）ＳＣシンボルブロックについて、符号化され変調されたＥＤＭＧヘッダＢシンボルの部分（例えば、ｉ番目のストリームのｂｌｋｉと称する）は、長さ６４個のチップのゴレイＧａｉ６４シーケンスをもつガードインターバル（Ｇｌ）がそれに付加され得る状態で、４４８個のチップによって搬送され得る。チャネルボンディングなしのＳＣシンボルブロックは、［Ｇａｉ６４，ｂｌｋｉ］であり得る。例では、２、３、および、４つのチャネルをもつチャネルボンディングについて、ＳＣシンボルブロックは、それぞれ、（ｉ）ＮＣＢ＝２：［Ｇａｉ１２８，ｂｌｋｉ，ｂｌｋｉ］、（ｉｉ）ＮＣＢ＝３：［Ｇａｉ１９２，ｂｌｋｉ，ｂｌｋｉ，ｂｌｋｉ］、および（ｉｉｉ）ＮＣＢ＝４：［Ｇａｉ２５６，ｂｌｋｉ，ｂｌｋｉ，ｂｌｋｉ，ｂｌｋｉ］のように定義され得る。
【０１００】
マルチチャネル送信を用いる周波数ベースの多元接続が与えられ得る。８０２．１１ａｙは、（例えば、複数のチャネルを使用するときに）異なるチャネルに（例えば、個々に）に割り振られる複数のＳＴＡへのＰＣＰまたはＡＰによる同時送信をサポートし得る。異なるＳＴＡとの間の送信および受信のためのサポート（例えば、プロシージャ）が与えられ得る。
【０１０１】
マルチチャネル送信をサポートするために、ビームフォーミングが与えられ得る。
【０１０２】
図１３は、ＥＤＭＧ−ＳＴＦの一例である。
【０１０３】
８０２．１１ａｙシステムは、２つ以上のノード間での単一ビームおよび／またはマルチビーム送信を可能にするビームを送信することおよび／または受信することをサポートし得る。ビームの形成および制御情報の送受信およびアグリゲートまたはボンディングされたチャネルの帯域幅コヒーレンスを考慮するデータの（例えば、チャネルボンディングまたはアグリゲーションを用いた）サポートが与えられ得る。
【０１０４】
ＥＤＭＧヘッダ中の情報が与えられ得る。
【０１０５】
８０２．１１ａｙは、チャネルアグリゲーションおよび／またはボンディング送信を与え、および／または実行し得る。例えば、８０２．１１ａｙは、１つまたは複数のチャネル上で１人または複数のユーザにチャネルアグリゲーションおよび／またはボンディング送信を与え、および／または実行し得る。チャネルは、１つまたは複数のＳＴＡへの１つまたは複数のＭＵ−ＭＩＭＯ送信を含み得る。シグナリングは、受信機ＳＴＡに与えられ得る。例えば、受信機ＳＴＡがＰＰＤＵ中の１つまたは複数のＰＳＤＵの復号を実行しないことがある（例えば、実行する必要がないことがある）ように、シグナリングは、受信機ＳＴＡに与えられ得る。
【０１０６】
ＭＩＭＯセットアップフレームは、ＭＵ  ＰＰＤＵに先行し得る（例えば、それの直前に先行し得る）。例えば、ＭＩＭＯセットアップフレームは、送信機（例えば、同じ送信機）からのＭＵ  ＰＰＤＵに先行し得る（例えば、それの直前に先行し得る）。ＭＩＭＯセットアップフレーム中のプリアンブル波形中で送信されるプリアンブルのカバレージは、追従するＭＵ−ＰＰＤＵ中のプリアンブルと同じであり得る。これは、余分のオーバーヘッドを招き得る。余分のオーバーヘッドは回避され得る。
【０１０７】
ＥＤＭＧ設計は、ＢＳＳおよび／またはＴＸＯＰ情報を識別しないことがある。ＢＳＳおよび／またはＴＸＯＰ情報を識別しないことは、以下の効果のうちの１つまたは複数を有し得る。
【０１０８】
例えば、効果は、イントラＢＳＳフレームは、消失され得ることであり得る。８０２．１１ａｙの指向性性質により、２つのＢＳＳからのフレームが重複し得る（例えば、時間的に重複し得る）。２つのＢＳＳからのフレームが重複する（例えば、時間的に重複する）場合、送信機は、他の送信機を聴取しないことがある。例えば、重複ＢＳＳ（ＯＢＳＳ）フレームを復号しようと試みる受信ＳＴＡの場合、受信ＳＴＡは、同時イントラＢＳＳフレームを消失していることがある。ＳＵ−ＰＰＤＵの場合、受信ＳＴＡは、ＰＰＤＵのデータ部分を復号し得る（例えば、復号する必要があり得る）。受信ＳＴＡは、受信ＳＴＡが受信機であり得るのかどうかを決定するために、および／またはＮＡＶを更新するためにＰＰＤＵのデータ部分を復号し得る（例えば、復号する必要があり得る）。受信ＳＴＡは、フレームがＯＢＳＳフレームであったとしても、受信ＳＴＡが受信機であり得るのかどうかを決定するために、および／またはＮＡＶを更新するためにＰＰＤＵのデータ部分を復号し得る（例えば、復号する必要があり得る）。ＭＵ−ＰＰＤＵの場合、ＯＢＳＳフレームは、ＥＤＭＧヘッダＡ中にマッチング関連付けＩＤ（ＡＩＤ）を有し得る。同じＡＩＤをもつＳＴＡは、ＯＢＳＳフレームを受信し得、および／またはイントラＢＳＳフレームを無視し得る。
【０１０９】
効果は、バッテリーが消耗され得ることであり得る。例えば、ＯＢＳＳフレームのデータ部分を復号することは、バッテリーを消耗させ得る。
【０１１０】
マルチチャネルアグリゲーションおよびチャネルボンディングが与えられ得る。例えば、マルチチャネルアグリゲーションおよびチャネルボンディングは、単一の送信機／受信機ペアのためのマルチチャネルアグリゲーションおよび／または周波数および空間ベースの多元接続を用いる複数の送信機／受信機ペアのためのマルチチャネルアグリゲーションおよびボンディングのうちの１つまたは複数を含み得る。
【０１１１】
図１４に、８０２．１１ａｙにおけるチャネルアグリゲーションおよびボンディングの例を示す。例では、送信機は、ボンディングされるべきチャネル上で独立したＲＴＳフレームをもつ媒体を予約し得る（例えば、図１４Ａ）。受信機は、ＣＴＳで返答し得る。送信機は、受信機にチャネルアグリゲートされたデータ送信を送り得る。アグリゲーションの指示は、例えば、ＲＴＳ中に、または送信されたデータフレームのプリアンブル中に配置され得る。受信機は、２つのチャネルアグリゲートされたＡＣＫで返答し得る。送信機は、ＴＸＯＰ予約を終了するために２つの無競合終了（ＣＦ−ＥＮＤ：contention-free end）で返答し得る。
【０１１２】
例では、送信機は、図１４Ｂに示すように、ボンディングされるべきチャネル上でＣＴＳツーセルフフレームをもつ媒体を予約し得る。送信機は、受信機にチャネルアグリゲートされたデータ送信を送り得る。アグリゲーションの指示は、例えば、ＲＴＳ中に、または送信されたデータフレームのプリアンブル中に配置され得る。受信機は、２つのチャネルアグリゲートされたＡＣＫで返答し得る。
【０１１３】
マルチチャネルアグリゲーションおよびチャネルボンディングは、例えば、周波数ベースおよび／または空間ベースの多元接続を用いる複数の送信機／受信機ペアを含み得る。
【０１１４】
複数のユーザのためのチャネルボンディングおよびアグリゲーションについての例が与えられ得る。マルチチャネル送信プロシージャにより、複数のコンポーネントチャネルを周波数ベースの多元接続方式で使用することが可能になり得る。例えば、ＳＴＡ／ＷＴＲＵ（例えば、送信機／受信機およびＰＣＰ／ＡＰまたは送信ポイント（ＴＲＰ））は、複数のＳＴＡ（例えば、受信機／送信機）に送信または受信し得る。これは、空間多元接続と組み合わされ得るチャネルボンディングおよびチャネルアグリゲーション（図１５および図１６を参照）に適用可能であり得る。
【０１１５】
図１５は、ＯＦＤＭＡを使用する周波数ベースの多元接続を用いるチャネルボンディングの一例である。
【０１１６】
図１６は、ＳＣおよびＯＦＤＭＡを使用する周波数ベースの多元接続を用いるチャネルアグリゲーションの一例である。
【０１１７】
周波数ベース多元接続は、直交周波数分割多重（ＯＦＤＭ）またはシングルキャリア送信に基づき得る。
【０１１８】
周波数ベースの多元接続を用いるシングルキャリア送信は、アグリゲーションに（例えば、単独で）適用され得る。（例えば、各）コンポーネントキャリアは、それの上で送信される独立したＳＣ波形を有し得る。プリアンブルは、例えば、ダウンリンク送信中に、同じであるか、またはコンポーネントに固有であり得る。（例えば、各）プリアンブルは、例えば、アップリンク送信中に、（例えば、各）コンポーネントチャネル上で送信され得る（例えば、独立して送信され得る）。送信は、送信が公差時間内に送信機に到着し得るように一度に行われ得る。ユーザは、アグリゲートされたチャネルにわたり得る同じビームを送信し得る。（例えば、各）独立したユーザが、（例えば、各）コンポーネントサブチャネルにわたる帯域幅に割り当てられ得る。２人以上のユーザが、サブチャネルに割り当てられ得る。ユーザは、例えば、異なる到着／出発方向および／または時間遅延（図１７を参照）に基づいて分離され得る（例えば、空間的に分離され得る）。
【０１１９】
図１７は、単一のキャリア送信と複数の空間ビームとを用いるチャネルアグリゲーションの一例である。
【０１２０】
周波数ベースの多元接続を用いるＯＦＤＭベースの送信は、アグリゲーションおよびボンディングに適用され得る。サブチャネルの帯域幅は、例えば、コンポーネントチャネルの帯域幅に、または（例えば、各）コンポーネントチャネルの帯域幅よりも小さいことがある帯域幅のセットに設定され得る。（例えば、各）独立したユーザには、周波数領域中の１つまたは複数のサブチャネルが割り当てられ得る。２人以上のユーザが、サブチャネルに割り当てられ得、例えば、異なる到着／出発方向および時間遅延（図１８および図１９を参照）に基づいて分離され得る（例えば、空間的に分離され得る）。
【０１２１】
図１８は、ＯＦＤＭＡとサブチャネルごとの複数の空間ビームとを用いるチャネルボンディングの一例である。
【０１２２】
図１９は、ＯＦＤＭＡとサブチャネルごとの複数の空間ビームとを用いるチャネルアグリゲーションの一例である。
【０１２３】
マルチチャネル送信をサポートするビームフォーミング実装形態を開示し得る。例えば、マルチチャネルビームフォーミング、２つのチャネルにわたる１つのアナログビーム（例えば、（例えば、各）チャネル上でのアナログＢＦトレーニング）および（例えば、各）チャネル上での別個のアナログ回路もしくは両方のチャネル上での単一のアナログ回路、２つのチャネルにわたる１つのアナログビーム（例えば、両方のチャネル上でのアナログＢＦトレーニング）およびＳＵをサポートし得る（例えば、各）チャネル上での別個のデジタルプリコーディング方式、１次チャネルにわたる１つのアナログビーム（例えば、１次チャネル上だけでのアナログＢＦトレーニング）およびＳＵをサポートし得る（例えば、各）チャネル上での別個のデジタルプリコーディング方式、並びに／または２つのチャネル上での２つのアナログビーム（例えば、両方のチャネル上でのアナログＢＦトレーニング）およびＳＵおよび／もしくはＭＵをサポートし得る（例えば、各）チャネル上での別個のデジタルプリコーディング方式のうちの１つまたは複数を適用し得る。
【０１２４】
ビームフォーミング（例えば、マルチチャネル送信のためのビームフォーミング）は、（例えば、各）コンポーネントチャネル上で独立して動作するか、またはシングルチャネルとして複数のコンポーネントチャネル上で動作し得る。複数のコンポーネントチャネルを介した同じビームまたは異なるビームの使用は、例えば、（ｉ）複数のチャネルの空間シグネチャ間の相関、（ｉｉ）ビームフォーマがある領域、（ｉｉｉ）デジタル領域ビームフォーミング、および／または（ｉｖ）ハイブリッドビームフォーミングのうちの１つまたは複数に依存し得る。
【０１２５】
複数のコンポーネントチャネルを介した同じビームまたは異なるビームの使用は、複数のチャネルの空間シグネチャ間の相関に依存し得る。空間シグネチャが相関されるチャネルは、隣接する小さい帯域幅チャネルまたはコヒーレンス帯域幅よりも小さく離れていることがあるチャネルを備え得る。同じビームが、パフォーマンスの有意な損失なしに、ビームフォーミングトレーニングの低減とともに、および／またはフィードバックオーバーヘッドとともに複数のチャネルにわたって使用され得る。
【０１２６】
空間シグネチャが相関されないチャネルは、コヒーレンス帯域幅よりも大きく離れていることがあるチャネルを備え得る。チャネルにわたる同じビームの使用は、パフォーマンス損失を生じ得る。
【０１２７】
複数のコンポーネントチャネルを介した同じビームまたは異なるビームの使用は、ビームフォーマがある領域に依存し得る。アナログ領域ビームフォーミングに関連する例が与えられ得る。
【０１２８】
アナログビームフォーミングの場合（例えば、アナログビームフォーミングのみの場合）、ビームは、アナログ領域中にアンテナ要素上のフェーザによって形成され得る。ストリームごとの別個のビームが、複数のチャネルの（例えば、各々の）ために作成され得る。以下の特徴のうちの１つまたは複数が適用し得る。
【０１２９】
（例えば、各）チャネルは、独立したまたは別々に制御可能な物理アンテナアレイまたはアンテナパネルを有し得る。これにより、例えば、複数のチャネルが物理チャネルのコヒーレンス帯域幅内にないことがある場合でも、最適なアナログビームの選択が可能になり得る。アナログビームのグラニュラリティは、例えば、ボンディングされたまたはアグリゲートされたチャネルのオーダー、または、（例えば、各）コンポーネントチャネル内のＯＦＤＭＡサブチャネルのオーダーであり得る。
【０１３０】
（例えば、単一の）アナログビームフォーマは、チャネルのうちの１つまたは複数（例えば、全て）にわたって使用され得る。（例えば、単一の）ビームフォーマは、１次チャネルに基づいて作成され得る。
【０１３１】
（例えば、単一の）ビームフォーマは、コンポーネントチャネル（例えば、全てのコンポーネントチャネル）の組合せに基づいて作成され得る。ブロードバンドビームフォーマは、チャネルに一致した周波数選択応答を有し得る。単一のビームフォーマの後に、パフォーマンスを改善し得るアクティブまたはパッシブフィルタ構成要素から作られたブロードバンドアナログ回路またはフィルタが続き得る。（例えば、図２０に示す）ブロードバンドビームフォーマの例では、ルック方向を指定するために、ステアリング遅延が使用され得る。ＴＤＬ構造は、ルック方向に周波数応答を指定するために使用され得る。アナログフィルタの要素は、プロシージャ中で最適化され得る。ブロードバンドフィルタを構築するために、アクティブ構成要素から構成されるアナログフィルタが使用され得る。
【０１３２】
図２０は、ブロードバンドビームフォーマの一例である。
【０１３３】
複数のコンポーネントチャネルを介した同じビームまたは異なるビームの使用は、デジタル領域ビームフォーミング（例えば、デジタル領域ビームフォーミングのみ）に依存し得る。デジタルビームフォーミングは、チャネルごとにまたはサブチャネルごとに独立したビームフォーミングを可能にする際のさらなるフレキシビリティを有し得る。これは、例えば、位相アレイアンテナ（ＰＡＡ）中に多数のアンテナがあり得るときに高価になり得る。
【０１３４】
複数のコンポーネントチャネルを介した同じビームまたは異なるビームの使用は、ハイブリッドビームフォーミングに依存し得る。広帯域アナログビームフォーミングと周波数選択性デジタルビームフォーミングとの組合せが使用され得る。アナログビームフォーマは、アグリゲートまたはボンディングされたチャネル（例えば、それの全体）、コンポーネントチャネルまたはコンポーネントチャネルのサブチャネルに基づき得る。アナログビームフォーマ中のエラーを補正するために、デジタル領域ビームフォーマが使用され得る。デジタル領域ビームフォーマにより、デジタル領域ビームフォーマのみに対するそれのパフォーマンスが可能になり得る。
【０１３５】
マルチチャネルビームフォーミングが与えられ得る。マルチチャネルビームフォーミングは、修正されたセクタスイーププロシージャ、修正された空間ビーム改良プロシージャ、および／または周波数改良プロシージャのうちの１つまたは複数を含み得る。
【０１３６】
修正されたセクタスイーププロシージャは、Ｎ／Ｎ＿ｓｓｗ回実施され得るイニシエータとレスポンダとの間の空間ビームペア（例えば、最良の空間ビームペア）を推定し得る。Ｎ＿ｓｓｗは、１＜Ｎ＿ｓｓｗ＜Ｎの場合、周波数中の独立したアナログビームの数であり得る。Ｎ＿ｓｓｗ＝Ｎである場合、（例えば、各）コンポーネントチャネルは、それ自体の独立したアナログビームを有し得る。Ｎ＿ｓｓｗ＝１である例では、１つまたは複数の（例えば、全ての）コンポーネントビームは、１つのアナログビーム（例えば、それのみ）を有し得る。例では、コンポーネントビームは、グループ化され得（例えば、任意にグループ化され得）、例えば、ここで、Ｎ＿ｓｓｗ＿１≠Ｎ＿ｓｓｗ＿２≠．．．≠．．．Ｎ＿ｓｓｗ＿ｎおよびＮ＿ｓｓｗ＿１＋Ｎ＿ｓｓｗ＿２＋．．．＋．．．Ｎ＿ｓｓｗ＿ｎ＝Ｎである。この情報は、ＳＳＷセットアッププロシージャ中にＳＴＡにシグナリングされ得る。
【０１３７】
修正された空間ビーム改良プロシージャは、ユーザへの最良の空間ビーム（例えば、修正されたセクタスイーププロシージャからの推定された最良の空間ビームペア）を改良し得る。プロシージャは、Ｎ／Ｎ＿ｂｒｐ回実施され得る。Ｎ＿ｂｒｐは、１＜Ｎ＿ｂｒｐ＜Ｎの場合、周波数中の独立したアナログビームの数であり得る。Ｎ＿ｂｒｐ＝Ｎである場合、（例えば、各）コンポーネントチャネルは、それ自体の独立したアナログビームを有し得る。Ｎ＿ｂｒｐ＝１である例では、１つまたは複数の（例えば、全ての）コンポーネントビームは、１つのアナログビーム（例えば、ただ１つのアナログビーム）を有し得る。コンポーネントビームは、グループ化され得（例えば、任意にグループ化され得）、例えば、ここで、Ｎ＿ｂｒｐ＿１≠Ｎ＿ｂｒｐ＿２≠．．．≠．．．Ｎ＿ｂｒｐ＿ｎおよびＮ＿ｂｒｐ＿１＋Ｎ＿ｂｒｐ＿２＋．．．＋．．．Ｎ＿ｂｒｐ＿ｎ＝Ｎである。この情報は、例えば、ＢＲＰセットアッププロシージャ中にＳＴＡにシグナリングされ得る。例では、Ｎ＿ｂｒｐは、Ｎ＿ｓｓｗに等しくなり得る。
【０１３８】
周波数改良プロシージャは、実際のチャネルと改良されたビームを使用して推定されたチャネルとの間の不一致を補正し得る。周波数改良プロシージャは、アナログであることも、デジタルであることもあり得る。
【０１３９】
図２１は、アナログビームフォーミング（例えば、アナログのみのビームフォーミング）のための例示的なプロシージャである。アナログ周波数改良プロシージャの例では、一連の信号が、時間領域相関の推定を可能にするために送られ得る。この情報は、フィードバックされ、ＴＤＬまたはアクティブアナログフィルタを推定するために使用され得る。独立したアナログフィルタの数は、例えば、Ｎ＿ａｎａｌｏｇによって決定され得る（図２１を参照）。
【０１４０】
図２２は、ハイブリッドビームフォーミングのための例示的なプロシージャである。デジタル周波数改良プロシージャの例では、チャネル推定またはトレーニングフィールドが送られ得る。瞬時チャネルの表現は、デジタルプリコーダの設計を可能にするためにフィードバックされ得る。独立したデジタルフィルタの数は、例えば、Ｎ＿ｄｉｇｉｔａｌによって決定され得る（図２２を参照）。Ｎ＿ａｎａｌｏｇ／Ｎ＿ｄｉｇｉｔａｌは、Ｎ＿ｓｓｗとは異なり得る。
【０１４１】
単一のユーザ、マルチユーザ、およびダイバーシティ送信のための方式、プロシージャ、およびそれらのアプリケーションが与えられ得る。例では、Ｎ個のコンポーネントチャネルが、アグリゲートおよび／またはボンディングされ得る。例は、Ｎ＝２を使用し得るが、方式およびプロシージャが、Ｎ＞２に適用可能であり得る（例えば、それに拡張可能であり得る）。
【０１４２】
２つのチャネルにわたる１つのアナログビーム（例えば、（例えば、各）チャネル上のアナログＢＦトレーニング）と（例えば、各）チャネル上の別個のアナログ回路または両方のチャネル上の単一のアナログ回路とがあり得る。アナログビームトレーニングプロシージャ、空間ビーム改良、および／またはマルチチャネルビーム改良のうちの１つまたは複数が適用され得る。
【０１４３】
アナログビームトレーニングプロシージャは、修正されたセクタレベルスイープを使用して最良の空間ビームを識別し得る。トレーニングプロシージャは、例えば、複数の空間ビームをもつ最良の空間ビームを識別し得る。スイープは、イニシエータ（Ｔｘ／Ｒｘ）とレスポンダ（Ｔｘ／Ｒｘ）とに対して行われ得る。例えば、チャネル相反性の仮定が（例えば、較正により）有効であるとき、ビームの１つのセットを発見することが十分であり得る（例えば、イニシエータＴｘおよびレスポンダＲｘ）。
【０１４４】
システムは、空間ビーム改良を通過し得る（例えば、それをさらに通過し得る）。例えば、システムは、アナログビームを改良するために修正されたビーム改良プロトコル（ＢＲＰ）などのさらなる空間ビーム改良を通過し得る。
【０１４５】
システムは、空間ビーム（例えば、最良の空間ビーム）を識別し得る。システムは、（例えば、空間ビームが識別されたとき）アナログ回路のためのパラメータをトレーニングおよび／または推定するためにマルチチャネルビーム改良プロシージャを通過し得る。マルチチャネルビーム改良プロシージャは、アレイ相関行列（Ｒ）の推定を伴い得る。行列要素は、様々なタップ出力間の相関を表し得る。フィードバックの量および頻度は、例えば、デジタルベースバンドフィードバックと比較して（例えば、相関の点で）低減され得る。フィードバック要求は、明示的なチャネルフィードバックが必要とされ得るのか、または相関フィードバックが必要とされ得るのかを示し得る。シグナリングは、（例えば、ＢＲＰフィードバック中で使用されるチャネル要素フィードバックとは異なり得る）相関行列フィードバックを要求するために追加され得る。
【０１４６】
フィルタの要素は、所望のメトリックに基づいて推定され得る。
【０１４７】
ＴＤＬ推定フレームはＲの推定を支援するために構築され得る。（例えば、Ｒの推定を支援するために）ＴＲＮ／ＴおよびＴＲＮ／ＲをもつＢＲＰフレームが再使用され得る。
【０１４８】
２つのチャネルにわたる１つのアナログビーム（例えば、両方のチャネル上のアナログＢＦトレーニング）と、ＳＵをサポートし得る（例えば、各）チャネル上での別個のデジタルプリコーディング方式とがあり得る。
【０１４９】
単一のアナログビームトレーニングプロシージャは、例えば、修正されたセクタレベルスイープを使用して最良の空間ビームを識別し得る。例えば、複数の空間ビームがあり得るときに、トレーニングプロシージャは、複数の（例えば、両方の）コンポーネントチャネル上の最良の空間ビームを識別し得る。スイープは、イニシエータ（Ｔｘ／Ｒｘ）とレスポンダ（Ｔｘ／Ｒｘ）とに対して行われ得る。例えば、チャネル相反性の仮定が（例えば、較正により）有効であり得るとき、ビームの１つのセットを発見することが十分であり得る（例えば、イニシエータＴｘおよびレスポンダＲｘ）。
【０１５０】
システムは、空間ビーム改良（例えば、アナログビームを改良するために修正されたビーム改良プロトコル）を通過し得る（例えば、それをさらに通過し得る）。（例えば、各）チャネルは、（例えば、空間ビームが識別されたとき）有効なデジタルベースバンドチャネルを推定するためにデジタルベースバンドチャネル推定プロシージャを通過し得る。デジタルベースバンドチャネルは、送信機にフィードバックされ得る。例では、明示的なチャネル係数がフィードバックされ得る。例では、コードブックに基づく暗黙的なフィードバックがフィードバックされ得る。（例えば、各）サブチャネルは、（例えば、選択された方式に基づいて）それのデジタルプリコーダを推定し得る。
【０１５１】
図２３は、２つのチャネルにわたる１つのアナログビームのための例示的なプロシージャである。１つのアナログビームは、位相シフタのセットをもつ２つのチャネルにわたって形成され得る。以下のうちの１つまたは複数が適用し得る。イニシエータは、最良の空間ビームを識別するために２つのチャネルにわたって１つのアナログビームを用いてＳＬＳを開始し得る。レスポンダは、２つのチャネルにわたって１つのアナログビームを用いてＳＬＳを行い得る（例えば、それを同様に行い得る）。フィードバックおよびＡＣＫは、両方のチャネル上で送られ得る（例えば、一緒に送られ得る）。（例えば、両方チャネル上での）ビーム改良プロトコル（ＢＲＰ）は、例えば、イニシエータまたはレスポンダによって要求されたときに実施され得る。有効なチャネル推定は、例えば、最良の空間ビームが識別されるときに、最良のビームペアに基づいて行われ得る。イニシエータは、両方のチャネル上でチャネル推定パケットを送信し得る。有効なチャネルは、両方のチャネルについて（例えば、独立して）推定され得る。レスポンダは、両方のチャネルに関する有効なチャネル情報をフィードバックし得る。
【０１５２】
１次チャネルにわたる１つのアナログビーム（例えば、１次チャネル上だけでのアナログＢＦトレーニング）およびＳＵをサポートし得る（例えば、各）チャネル上の別個のデジタルプリコーディング方式があり得る。
【０１５３】
単一のアナログビームトレーニングプロシージャは、例えば、修正されたセクタレベルスイープを使用して最良の空間ビームを識別し得る。例えば、複数の空間ビームがあり得るときに、トレーニングプロシージャは、１次コンポーネントチャネルのみに基づいて最良の空間ビームを識別し得る。スイープは、イニシエータ（Ｔｘ／Ｒｘ）とレスポンダ（Ｔｘ／Ｒｘ）とに対して行われ得る。例えば、チャネル相反性の仮定が（例えば、較正により）有効であり得るとき、ビームの１つのセットを発見することが十分であり得る（例えば、イニシエータＴｘおよびレスポンダＲｘ）。
【０１５４】
システムは、１次コンポーネントチャネル上だけでの空間ビーム改良（例えば、アナログビームを改良するために修正されたビーム改良プロトコル）を通過し得る（例えば、それをさらに通過し得る）。（例えば、各）チャネルは、（例えば、空間ビームが識別されたとき）有効なデジタルベースバンドチャネルを推定するためにデジタルベースバンドチャネル推定プロシージャを通過し得る。１次チャネルのためのアナログビームは、１つまたは複数の（例えば、全ての）コンポーネントチャネル上で使用され得る。
【０１５５】
デジタルベースバンドチャネルは、送信機にフィードバックされ得る。例では、明示的なチャネル係数がフィードバックされ得る。例では、コードブックに基づく暗黙的なフィードバックがフィードバックされ得る。（例えば、各）サブチャネルは、例えば、選択された方式に基づいてそれのデジタルプリコーダを推定し得る。
【０１５６】
図２４は、１次チャネルにわたる１つのアナログビームのための例示的なプロシージャである。ＣＨ１は、１次チャネルであり得る。１つのアナログビームは、例えば、位相シフタのセットをもつ１次チャネルに基づいて形成され得る。以下のうちの１つまたは複数が適用し得る。イニシエータは、チャネル上の最良の空間ビームを識別するために１次チャネルにわたって１つのアナログビームを用いてＳＬＳを開始し得る。レスポンダは、１次チャネルのために１つのアナログビームを用いてＳＬＳを（例えば、同様に）行い得る。フィードバックおよびＡＣＫは、１次チャネル上で（例えば、１次チャネル上だけで）送られ得る。１次チャネル上でのビーム改良プロトコル（ＢＲＰ）は、例えば、イニシエータまたはレスポンダによって要求されたときに行われ得る。有効なチャネル推定は、例えば、最良の空間ビームが識別されたときに、（例えば、１次チャネルから取得された最良のビームペアに基づいて）両方のチャネルに対して行われ得る。
【０１５７】
２次チャネル（例えば、チャネル２）は、１次チャネル（例えば、チャネル１）によって取得されたビームを使用し得る。
【０１５８】
イニシエータは、両方のチャネル上でチャネル推定パケットを送信し得る。有効なチャネルは、両方のチャネルについて（例えば、独立して）推定され得る。
【０１５９】
レスポンダは、両方のチャネルに関する有効なチャネル情報をフィードバックし得る。
【０１６０】
２つのチャネル上の２つのアナログビーム（例えば、両方のチャネル上のアナログＢＦトレーニング）およびＳＵおよび／またはＭＵをサポートし得る（例えば、各）チャネル上の別個のデジタルプリコーディング方式があり得る。
【０１６１】
例では、複数のアナログビームトレーニングプロシージャは、例えば、修正されたセクタレベルスイープを使用して最良の空間ビームを識別し得る。例えば、複数の空間ビームがあり得るときに、トレーニングプロシージャは、（例えば、各）コンポーネントチャネルのための最良の空間ビームを識別し得る。スイープは、イニシエータ（Ｔｘ／Ｒｘ）とレスポンダ（Ｔｘ／Ｒｘ）とに対して行われ得る。例えば、チャネル相反性の仮定が（例えば、較正により）有効であり得るとき、ビームの１つのセットを発見することが十分であり得る（例えば、イニシエータＴｘおよびレスポンダＲｘ）。システムは、空間ビーム改良（例えば、アナログビームを改良するために修正されたビーム改良プロトコル）を通過し得る（例えば、それをさらに通過し得る）。（例えば、各）チャネルは、（例えば、空間ビームが識別されたとき）有効なデジタルベースバンドチャネルを推定するためにデジタルベースバンドチャネル推定プロシージャを通過し得る。デジタルベースバンドチャネルは、送信機にフィードバックされ得る。例では、明示的なチャネル係数がフィードバックされ得る。例では、コードブックに基づく暗黙的なフィードバックがフィードバックされ得る。
【０１６２】
（例えば、各）サブチャネルは、例えば、選択された方式に基づいてそれのデジタルプリコーダを推定し得る。
【０１６３】
図２５は、２つのチャネル上の２つのアナログビームの一例である。図２５に、ＳＵ状況の一例を示す。２つのアナログビームは、位相シフタの２つのセットをもつ２つのチャネル上に形成され得る。以下のうちの１つまたは複数が適用し得る。イニシエータは、最良の空間ビームを（例えば、独立して）識別するために２つのチャネル上で２つのアナログビームを用いてＳＬＳを開始し得る。レスポンダは、（例えば、同様に）２つのチャネル上で２つの独立したアナログビームを用いてＳＬＳを行い得る。フィードバックおよびＡＣＫは、両方のチャネル上で送られ得る（例えば、独立して送られ得る）。ビーム改良プロトコル（ＢＲＰ）は、例えば、イニシエータまたはレスポンダによって要求されたときに両方のチャネル上で行われ得る。最良の空間ビームが識別され得る。有効なチャネル推定が、例えば、２つのチャネルの最良のビームペアに基づいて（例えば、独立して）行われ得る。イニシエータは、両方のチャネル上でチャネル推定パケットを送信し得る。有効なチャネルは、両方のチャネルについて（例えば、独立して）推定され得る。レスポンダは、両方のチャネルに関する有効なチャネル情報をフィードバックし得る。
【０１６４】
図２６は、コヒーレンス帯域幅内の２つの連続するチャネルの一例である。コヒーレンス帯域幅は、チャネルがフラットと見なされ得る周波数の範囲の統計的測定であり得る。例えば、信号の２つの周波数が匹敵するまたは相関する振幅フェーディングを経験し得る（例えば、経験する可能性があり得る）近似の最大帯域幅または周波数間隔。例えば、コヒーレンス帯域幅内の２つの連続するチャネルが使用されるとき、改善されたビームフォーミングトレーニングが採用され得る。２つのチャネルは、角領域中に同様のチャネル情報を有し得、これは、ビームフォーミングトレーニングのために活用され得る。２つのアナログビームは、位相シフタの２つのセットをもつ２つのチャネル上に形成され得る。以下のうちの１つまたは複数が適用し得る。イニシエータは、最良の空間ビームを識別するために２つのチャネル上で２つの連続するアナログビームを用いてＳＬＳを開始し得る。（例えば、各）チャネルは、個々の重複しないビームを有し得る。ビームは、広げられ得る。ビームが広げられる場合、ＳＳＷの時間が短縮され得るか、またはセクタスイープの時間が増加され得る。レスポンダは、（例えば、同様に）２つのチャネル上で２つの連続する独立したアナログビームを用いてＳＬＳを行い得る。フィードバックおよびＡＣＫは、最良のビームをもつ特定のチャネル（例えば、チャネル１または２）上で送られ得る（例えば、独立して送られ得る）。両方のチャネル上での独立したビーム改良プロトコル（ＢＲＰ）は、例えば、イニシエータまたはレスポンダによって要求されたときに行われ得る。最良の空間ビームが識別され得る。有効なチャネル推定が、例えば、２つのチャネルの最良のビームペアに基づいて行われ得る（例えば、独立して行われ得る）。イニシエータは、両方のチャネル上でチャネル推定パケットを送信し得る。有効なチャネルは、両方のチャネルについて（例えば、独立して）推定され得る。レスポンダは、両方のチャネルに関する有効なチャネル情報をフィードバックし得る。
【０１６５】
図２７は、２つのチャネル上の２つのアナログビームの一例である。図２７に、周波数分割ＭＵ状況の一例を示す。周波数分割マルチユーザ状況の例では、ユーザは、両方のチャネル上で聴取することが可能であり得、送信のためのあらかじめ定義されたチャネルを有し得る。例では、レスポンダ１は、チャネル１を使用し得、レスポンダ２は、チャネル２を使用し得る。２つのアナログビームは、位相シフタの２つのセットをもつ２つのチャネル上に形成され得る。以下のうちの１つまたは複数が適用し得る。イニシエータは、最良の空間ビームを（例えば、独立して）識別するために２つのチャネル上で２つのアナログビームを用いてＳＬＳを開始し得る。レスポンダ（例えば、図２７に示すレスポンダ１およびレスポンダ２）は、それぞれ、それらの個々のチャネル上でアナログビームを用いてＳＬＳを行い得る。フィードバックおよびＡＣＫは、異なるレスポンダのための個々のチャネル上で送られ得る（例えば、独立して送られ得る）。両方のチャネル上での両方のユーザのためのビーム改良プロトコル（ＢＲＰ）は、例えば、イニシエータまたはレスポンダによって要求されたときに行われ得る。最良の空間ビームが識別され得る。有効なチャネル推定が、例えば、異なるユーザのための２つの異なるチャネルの最良のビームペアに基づいて行われ得る。イニシエータは、両方のチャネル上でチャネル推定パケットを送信し得る。有効なチャネルは、異なるユーザのための個々のチャネルに対して（例えば、独立して）推定され得る。レスポンダは、それぞれ、個々のチャネルに関する有効なチャネル情報をフィードバックし得る。
【０１６６】
図２８は、コヒーレンス帯域幅内の２つの連続するチャネルの一例である。図２８に、周波数分割ＭＵ状況の一例を示す。例えば、コヒーレンス帯域幅内の２つの連続するチャネルが使用されるとき、改善されたビームフォーミングトレーニングが採用され得る。複数のユーザが、両方のチャネル上で聴取することが可能であり得る。ユーザは、送信のためのあらかじめ定義されたチャネルを有し得る。例では、レスポンダ１は、チャネル１を使用し得、レスポンダ２は、チャネル２を使用し得る。２つのアナログビームは、位相シフタの２つのセットをもつ２つのチャネル上に形成され得る。以下のうちの１つまたは複数が適用し得る。イニシエータは、最良の空間ビームを識別するために２つのチャネル上で２つの連続するアナログビームを用いてＳＬＳを開始し得る。（例えば、各）チャネルは、個々の重複しないビームを有し得る。ビームは、広げられ得る。ＳＳＷの時間が短縮され得るか、またはセクタスイープの時間が増加され得る。レスポンダ（例えば、図２８に示すレスポンダ１およびレスポンダ２）は、それぞれ、それらの個々のチャネル上でアナログビームを用いてＳＬＳを行い得る。フィードバックおよびＡＣＫは、異なるレスポンダのための個々のチャネル上で送られ得る（例えば、独立して送られ得る）。両方のチャネル上での両方のユーザのためのビーム改良プロトコル（ＢＲＰ）は、例えば、イニシエータまたはレスポンダによって要求されたときに行われ得る。最良の空間ビームが識別され得る。有効なチャネル推定が、例えば、異なるユーザのための２つの異なるチャネルの最良のビームペアに基づいて行われ得る。イニシエータは、両方のチャネル上でチャネル推定パケットを送信し得る。有効なチャネルは、異なるユーザのための個々のチャネルに対して（例えば、独立して）推定され得る。レスポンダは、それぞれ、個々のチャネルに関する有効なチャネル情報をフィードバックし得る。
【０１６７】
図２９は、時分割ＭＵ状況の一例である。時分割マルチユーザ状況の例では、ユーザは、両方のチャネルを使用することが可能であり得る。２つのアナログビームは、位相シフタの２つのセットをもつ２つのチャネル上に形成され得る。ユーザおよびチャネルは、例えば、位相シフタの（例えば、各）セットが１つ（例えば、ただ１つの）ステアリング方向を有するときに一緒に構成され得る。以下のうちの１つまたは複数が適用し得る。イニシエータは、複数の（例えば、全ての）ユーザのための２つのチャネル上で一緒に２つのアナログビームを用いてＳＬＳを開始し得る。
【０１６８】
レスポンダは、例えば、時分割方式で両方のチャネル上でアナログビームを用いてＳＬＳを行い得る。イニシエータは、支配的なチャネル上のまたは複数の（例えば、両方の）チャネル上の（例えば、各）ユーザのための最良のビームを識別し得る。フィードバックおよびＡＣＫは、例えば、時分割方式で異なるレスポンダのための選択されたチャネル上で送られ得る（例えば、独立して送られ得る）。選択されたチャネル上での両方のユーザのためのビーム改良プロトコル（ＢＲＰ）は、例えば、イニシエータまたはレスポンダによって要求されたときに行われ得る。最良の空間ビームが識別され得る。有効なチャネル推定が、例えば、異なるユーザのための２つの異なるチャネルの最良のビームペアに基づいて行われ得る。イニシエータは、両方のチャネル上でチャネル推定パケットを送信し得る。有効なチャネルは、例えば、時分割方式で異なるユーザのための個々のチャネルに対して推定され得る。レスポンダは、例えば、それぞれ、両方のチャネルに関する有効なチャネル情報をフィードバックし得る。
【０１６９】
ＳＴＡ（例えば、各局）のためのチャネル情報が与えられ得る。
【０１７０】
ＥＭＧヘッダＡは、ユーザのためのチャネル割当て／割振り情報を含み得る。例えば、マルチチャネルマルチユーザ送信（例えば、２つ以上のボンディング／アグリゲートされたチャネルおよび／または１人または複数のユーザを伴う送信）では、ＥＤＭＧヘッダＡは、（例えば、各）ユーザのためのチャネル割当て／割振り情報を含み得る。チャネル割当て情報は、ＳＴＡに割り当てられたリソースを含み得る。例えば、チャネル割当て情報は、受信ＳＴＡに搬送され得る空間ストリーム（ＳＳ）割振りおよび／またはチャネル／周波数情報など、ＳＴＡに割り当てられたリソースを含み得る。
【０１７１】
ＥＤＭＧヘッダＡは、チャネル上で繰り返され得る。例えば、ＥＤＭＧヘッダＡ（例えば、同じＥＤＭＧヘッダＡ）が、ＰＰＤＵによって占有され得るチャネル上で繰り返され得る。ＥＤＭＧヘッダＢは、ＳＴＡ（例えば、チャネルに割り当てられ得るＳＴＡ）に関係し得る情報（例えば、それのみ）を含み得る。
【０１７２】
チャネル上のＥＤＭＧヘッダＡは、ＳＳおよび／またはチャネル割振り情報（例えば、それのみ）を含み得る。例えば、チャネル上のＥＤＭＧヘッダＡは、チャネルのためのＳＳおよび／またはチャネル割振り情報（例えば、それのみ）を含み得、従って、ＥＤＭＧヘッダＡのコンテンツは、（例えば、同じ）ＰＰＤＵによってチャネル上で異なり得る。
【０１７３】
ＭＩＭＯセットアップに続く送信中のレガシープリアンブルのオーバーヘッドの低減が与えられ得る。
【０１７４】
ＥＤＭＧプリアンブル中の１つまたは複数のヘッダフィールドがＰＰＤＵから省略され得る。例えば、ＭＩＭＯセットアップフレームに続くプリアンブルオーバーヘッドを低減するために、図１１のＥＤＭＧプリアンブル中の最初の４つのヘッダフィールド（例えば、レガシーショートトレーニングフィールド（Ｌ−ＳＴＦ）、レガシーチャネル推定フィールド（Ｌ−ＣＥＦ）、Ｌヘッダ、ＥＤＭＧヘッダＡ）の１つまたは複数の組合せが、ＭＩＭＯセットアップフレームの後に送信され得るＰＰＤＵから省略され得る。
【０１７５】
省略されたヘッダ中の情報は、ＭＩＭＯセットアップフレームおよび／またはヘッダを省略するＭＵ  ＰＰＤＵのＥＤＭＧヘッダＢから導出され得る。
【０１７６】
Ｌヘッダ長フィールドおよび／またはＭＩＭＯセットアップフレームのＮＡＶ／持続時間フィールドは、ヘッダを省略し得る後続のＰＰＤＵの持続時間を含み得る時間をシグナリングし得る。例えば、Ｌヘッダ長フィールドおよび／またはＭＩＭＯセットアップフレームのＮＡＶ／持続時間フィールドは、ヘッダを省略し得る後続のＰＰＤＵの持続時間を含み得る時間をシグナリングし得、ＳＴＡは、等価なＰＰＤＵ持続時間を識別し得る。
【０１７７】
ＢＳＳ識別情報および／またはＴＸＯＰ情報が与えられ得る。
【０１７８】
ＢＳＳ識別情報は、ＥＤＭＧヘッダＡ中に含まれ得る。例えば、ＢＳＳ識別情報は、ＯＢＳＳ  ＳＴＡがＰＰＤＵを無視し得るようにＥＤＭＧヘッダＡ中に含まれ得る。識別情報は、基本サービスセット識別子（ＢＳＳＩＤ）（例えば、実際のＢＳＳＩＤ）よりも少数のビットを有し得る。
【０１７９】
ＥＤＭＧヘッダＡフィールド（例えば、レガシーＥＤＭＧヘッダＡフィールド）はＢＳＳ識別情報を含み得る。例えば、レガシーＥＤＭＧヘッダＡフィールドは、追加のシグナリングオーバーヘッドなしにＢＳＳ識別情報を含み得る。シグナリングされたＡＩＤ／スクランブル初期化／最後のＲＳＳＩは、ＢＳＳ識別子から計算され得る値を含み得る。
【０１８０】
ＴＸＯＰ情報は、ＥＤＭＧヘッダＡ中に含まれ得る。例えば、意図しないＳＴＡがＮＡＶ情報のためのフレームのデータ部分を復号する必要をなくし得るように、ＴＸＯＰ情報がＥＤＭＧヘッダＡ中に含まれ得る。
【０１８１】
ＴＸＯＰ情報は、Ｌヘッダ長および／またはトレーニング長フィールド中でシグナリングされ得る。例えば、ＴＸＯＰ情報は、（例えば、長いパケットのような）レガシーＳＴＡを送信する（例えば、スプーフィングする）ためにＬヘッダ長および／またはトレーニング長フィールド中でシグナリングされ得る。ＥＤＭＧ  ＳＴＡは、フレーム持続時間（例えば、実際のフレーム持続時間）を取得するためにＰＬＣＰサービスデータユニット（ＰＳＤＵ）長／ＭＣＳおよび／または他の情報に基づき得る。
【０１８２】
ＢＳＳ識別情報および／またはＴＸＯＰ情報は、例えば、以下の機構の１つまたは複数を使用して与えられ得る。
【０１８３】
ＥＤＭＧシグナリングのためのＬヘッダが与えられ得る。
【０１８４】
ＥＤＭＧフレームの送信側は、ＥＤＭＧ受信機に有用な情報をシグナリングするためにＬヘッダのトレーニング長フィールドを使用し得る。情報は、ビーム関連情報、空間再利用関連情報、および／またはＢＳＳＩＤまたは圧縮ＢＳＳＩＤのうちの１つもしくは複数を含み得る。
【０１８５】
ビーム関連情報により、受信機は、Ｌプリアンブル部分からＥＤＭＧプリアンブル部分に変化するビームを識別することが可能になり得る。ビーム関連情報は１つまたは複数のパラメータを含み得る。例えば、ビーム関連情報は、ＰＡＡの数、偏波が利用されるのかどうか、および／またはデジタルプリコーディングが適用されるのかどうかを含み得る。ビーム関連情報は、ＳＩＳＯビーム、ＳＵ−ＭＩＭＯビーム、および／またはＭＵ−ＭＩＭＯビームがＥＤＭＧ部分中で使用されるのかどうかを（例えば、それをも）含み得る。
【０１８６】
空間再利用関連情報は、インターＢＳＳ空間再利用が適用され得るのかどうか、イントラＢＳＳ空間再利用が適用され得るのかどうか、および／または電力ベースの空間再利用が適用され得るのかどうかを含み得る。
【０１８７】
ＥＤＭＧパケットは、ＲＸトレーニングのためのビーム追跡要求（例えば、ＤＭＧビーム追跡要求）として送信され得る（例えば、スプーフィングされ得る）。ＥＤＭＧ  ＳＴＡは、例えば、ビーム追跡要求をスプーフィングすることによって追加のＥＤＭＧシグナリングを実行するためにビーム追跡要求のトレーニング長フィールド中のビットを使用し得る。例えば、予約ビットを１に設定することによって、それは、追加のＥＤＭＧ情報をシグナリングするためにトレーニング長フィールドをオーバーロードし得る。ＳＴＡは、１に設定され得るＬヘッダビーム追跡要求フィールド、０に設定され得るパケットタイプフィールド、および／またはそれが所望の長さのＲｘトレーニングを要求し得るトレーニング長フィールドの設定のうちの１つまたは複数とともにＥＤＭＧフレームを送り得る。予約ビットを１に設定することによって、トレーニング長フィールドは、異なる情報を送ることにスプーフィングされ得る。
【０１８８】
例えば、ＳＴＡは、１に設定され得るＬヘッダビーム追跡要求フィールド、０に設定され得るパケットタイプフィールド、１に設定され得る予約ビット４６、および／またはＥＤＭＧパラメータを表す値に設定され得るトレーニング長フィールドとともにＥＤＭＧフレームを送り得る。ＥＤＭＧ受信機は、送信側が、ＲＸビーム追跡トレーニングを要求し得ない、および／またはＥＤＭＧシグナリングのためにトレーニング長フィールド中のビットを使用し得ると決定し得る。例えば、ＥＤＭＧ受信機は、送信側が、ＲＸビーム追跡トレーニングを要求していない、および／またはＥＤＭＧシグナリングのためにトレーニング長フィールド中のビットを使用していると決定し得る。
【０１８９】
【数１】
2019526990.tif 000003
【０１９０】
上式は、ＳＴＡ（例えば、レガシーＳＴＡ）がＴＸＴＩＭＥをどのように計算し得るのかの一例であり得る。例えば上式は、ＳＴＡ（例えば、レガシーＳＴＡ）が（例えば、ＭＣＳ＝２をもつ）ＤＭＧ  ＳＣ  ＰＨＹフレームのためのＴＸＴＩＭＥをどのように計算し得るのかの一例であり得る。受信機（例えば、レガシー受信機）の場合、ＳＴＡ（例えば、レガシーＳＴＡ）は、受信アドレス（ＲＡ）のためのＭＡＣヘッダを復号しないことがあり（例えば、そうし得ず）、および／またはビーム追跡要求に応答しないことがある（例えば、そうし得ない）。ＳＴＡ（例えば、レガシーＳＴＡ）は、ＴＸＴＩＭＥの最後にＰＨＹ−ＲＸＥＮＤ指示を生成し得る。例えば、ＳＴＡ（例えば、レガシーＳＴＡ）は、パケット受信の開始後にＴＸＴＩＭＥにおいてＰＨＹ−ＲＸＥＮＤ指示を生成し得る。
【０１９１】
Ｌヘッダ長フィールドを設定するために、ＥＤＭＧフレームの送信機は、ＥＤＭＧフレーム（例えば、ＥＤＭＧ自動利得制御（ＡＧＣ）および／またはトレーニングシーケンス（ＴＲＮ）フィールド）の持続時間を決定し得、および／または持続時間に近似するように長さフィールドの値を設定し得る。例えば、ＥＤＭＧ送信側は、（例えば、ＥＤＭＧ  ＡＧＣおよび／またはＴＲＮフィールドを含む）ＥＤＭＧフレームの持続時間をＤ（Ｔｃのユニット）として決定し得る（例えば、それを最初に決定し得る）。
【０１９２】
【数２】
2019526990.tif 000004
【０１９３】
ここで、ｋは、式を満たし得る最小の整数であり得る。送信側は、次のように長さを設定し得る。
【０１９４】
【数３】
2019526990.tif 000005
【０１９５】
ＥＤＭＧフレームの持続時間は、Ｔｃ×（２×５１２＋４４１６）＝３．０９μｓよりも大きいことがある。そのような場合、フレームは、ＤＭＧ  ＢＲＰフレームとして送信されないことがある。例えば、フレームがＤＭＧ  ＢＲＰフレームとして送信されないことがあるので、ＥＤＭＧフレームは、ａＢＲＰｍｉｎＳＣｂｌｏｃｋｓ  ＳＣブロックの最小長要件の対象とならないことがある。
【０１９６】
上記で与えたように、ＥＤＭＧパケットは、ＲＸトレーニングのためのＤＭＧビーム追跡要求として送信され得る（例えば、スプーフィングされ得る）。ＥＤＭＧシグナリングのためのＬヘッダ中のトレーニング長フィールドの５ビットの使用は、ＥＤＭＧフレームの持続時間とは無関係であり得る。例えば、ＥＤＭＧシグナリングのためのＬヘッダ中のトレーニング長フィールドの５ビットの使用は、任意の持続時間のＥＤＭＧフレームのために使用され得る。
【０１９７】
ＥＤＭＧパケットは、ＤＭＧ  ＢＲＰ−ＴＸまたはＢＲＰ−ＲＸパケットとして送信され得る（例えば、スプーフィングされ得る）。
【０１９８】
送信側は、１に設定されたＬヘッダパケットタイプフィールド、１に設定された予約ビット４６、および／またはＥＤＭＧパラメータを表す値に設定されたトレーニング長フィールドとともにＥＤＭＧフレームを送り得る。ＥＤＭＧフレームは、ＤＭＧ  ＢＲＰ−ＴＸパケットとして送信され得る（例えば、スプーフィングされ得る）。送信側は、０に設定されたＬヘッダビーム追跡要求フィールド、０に設定されたパケットタイプフィールド、１に設定された予約ビット４６、および／またはＥＤＭＧパラメータを表す値に設定されたトレーニング長フィールドとともにＥＤＭＧフレームを送り得る。ＥＤＭＧフレームは、ＤＭＧ  ＢＲＰ−ＲＸパケットとして送信され得る（例えば、スプーフィングされ得る）。
【０１９９】
ＥＤＭＧ受信機は、送信側が、ＤＭＧ  ＢＲＰパケットを送っていない、および／またはＥＤＭＧシグナリングのためにトレーニング長中のビットを使用すると決定し得る。レガシー受信機は、ＲＡのためのＭＡＣヘッダを復号することができないことがあり、および／またはＢＲＰフレームに応答しないことがある（例えば、それに応答しないことになる）。受信機は、ＰＨＹ−ＲＸＥＮＤ指示を生成し得る。例えば、受信機は、パケット受信の開始後にＴＸＴＩＭＥにおいてＰＨＹ−ＲＸＥＮＤ指示を生成し得る。
【０２００】
以下の式は、ＳＴＡ（例えば、レガシーＳＴＡ）が（例えば、ＭＣＳ＝２をもつ）ＤＭＧ  ＳＣ  ＰＨＹフレームのためのＴＸＴＩＭＥをどのように計算し得るのかの一例を示し得る。トレーニング長フィールド（ＮTRN）の設定は、（例えば、長さフィールドの値がＴＸＴＩＭＥを計算するために使用されるときに）ＥＤＭＧシグナリングのために使用され得る。ＳＴＡ（例えば、レガシーＳＴＡ）にＥＤＭＧフレームのＴＸＴＩＭＥ（例えば、ＥＤＭＧフレームの同じＴＸＴＩＭＥ）を計算させるために、ＥＤＭＧ送信側は、ＴＸＴＩＭＥがＥＤＭＧフレーム持続時間（例えば、ＥＤＭＧパケットフレーム持続時間）とほぼ同様になるようにＬヘッダの長さフィールドを設定し得る。例えば、長さ＝４２ｋ、４２ｋ＋１、．．．４２ｋ＋４１の設定は、ＴＸＴＩＭＥ（例えば、同じＴＸＴＩＭＥ）を生じ得、従って、（例えば、ＥＤＭＧ情報として使用される）長さフィールドによってシグナリングされる５ビットは、（例えば、同じくＥＤＭＧ情報として使用される）トレーニング長フィールドによってシグナリングされる５ビットとは無関係であり得る。送信された（例えば、スプーフィングされた）長さフィールドの値が、例えば、送信されたトレーニング長フィールドに基づいて調整され得るとしても、本明細書で提供する長さフィールドの設定は、トレーニング長フィールドによってシグナリングされる５ビットとは無関係であり得る。
【０２０１】
【数４】
2019526990.tif 000006
【０２０２】
ＥＤＭＧフレームは、ＥＤＭＧシグナリングのためにＬヘッダ中のトレーニング長フィールドの全５ビットを使用し得る。例えば、ＴＸＴＩＭＥ（Ｔｃ）≧Ｔｃ×（１８×５１２＋４４１６＋４９９２×３１）＝９５．６７μｓであるＥＤＭＧフレームは、ＥＤＭＧシグナリングのためにＬヘッダ中のトレーニング長フィールドの全５ビットを使用し得る。より短いＥＤＭＧフレームが与えられ得る。例えば、ＥＤＭＧパケットが、本明細書で説明するように、ＤＭＧ  ＢＲＰ−ＴＸまたはＢＲＰ−ＲＸパケットとして送信されるときにより短いＥＤＭＧフレームが与えられ得る。より短いＥＤＭＧフレームは、例えば、本明細書で説明するように、ＥＤＭＧフレームの送信側が全解像度（例えば、５ビット）を用いてＥＤＭＧ情報としてトレーニング長を設定するとき、およびＳＴＡが実際の短いＥＤＭＧフレームよりも持続時間が長いものとしてフレームを解釈するときに与えられ得る。
【０２０３】
追加のＥＤＭＧ情報をシグナリングするためのフィールドの変化（例えば、Ｌヘッダのトレーニング長以外のフィールド）の使用が与えられ得る。
【０２０４】
ビーム追跡要求および／またはパケットタイプは変動し得る。例えば、ビーム追跡要求および／またはパケットタイプは、ＲＸトレーニングのためのＤＭＧビーム追跡要求として送信されているＥＤＭＧパケットおよび／またはＤＭＧ  ＢＲＰ−ＴＸもしくはＢＲＰ−ＲＸパケットとして送信されているＥＤＭＧパケットなどの１つまたは複数のシグナリングプロシージャを選定することによって変動し得る。ビーム追跡要求および／またはパケットタイプを変動することによって、ＥＤＭＧ情報（例えば、追加のＥＤＭＧ情報）がシグナリングされ得る。例えば、ＥＤＭＧ情報のもう１ビットが、本明細書で説明する例を使用してシグナリングされ得る。例えば、ＥＤＭＧ情報のもう１ビットは、ＥＤＭＧパケット、すなわち、ＲＸトレーニングのためのビーム追跡要求および／またはＢＲＰ−ＴＸまたはＢＲＰ−ＲＸパケットを搬送するためにどのタイプのＤＭＧパケットが使用されるのかを識別することによってシグナリングされ得る。Ｌヘッダ中でシグナリングされるＭＣＳは、ＥＤＭＧ情報（例えば、追加のＥＤＭＧ情報）として解釈され得る。
【０２０５】
短いＥＤＭＧフレームが与えられ得る。
【０２０６】
ＥＤＭＧフレームの持続時間は、ＥＤＭＧフレームがＤＭＧ  ＢＲＰ−ＴＸまたはＢＲＰ−ＲＸパケットとして送信されるときに短くなり得る。ＥＤＭＧフレームの持続時間は、送信のオーバーヘッドを低減するために短くなり得る（例えば、元のＳＳＷが２６バイトであり得るが４バイトでよい短いセクタスイープフレーム（短いＳＳＷフレーム））。ＥＤＭＧフレームが短く、ＥＤＭＧフレームが、ＤＭＧ  ＢＲＰ−ＴＸまたはＢＲＰ−ＲＸパケットとして送信される場合、トレーニング長フィールドのＭＳＢは０に設定され得る。トレーニング長フィールドのＭＳＢは、短いＥＤＭＧパケットの持続時間に近似する全体的な持続時間に到着するように０に設定され得る。トレーニング長フィールドのＭＳＢを０に設定することは、トレーニング長フィールドによって搬送されるＥＤＭＧ情報の量を低減し得る。
【０２０７】
ＥＤＭＧ受信機は、ＥＤＭＧフレームの持続時間がしきい値よりも小さいとき、トレーニング長の中で搬送される情報が、ＥＤＭＧフレーム（例えば、より長いＥＤＭＧフレーム）中のトレーニング長フィールドによってシグナリングされ得るＥＤＭＧ情報（例えば、同じＥＤＭＧ情報）と比較してＥＤＭＧ情報のより低い解像度バージョンを表し得ることの理解を有し得る。例えば、ＤＭＧ  ＢＲＰ−ＴＸまたはＢＲＰ−ＲＸパケットとして送信されるＥＤＭＧパケットの受信機は、ＥＤＭＧ情報の何ビットがＬヘッダのトレーニング長フィールドによってシグナリングされ得るのかを計算するために（例えば、ＥＤＭＧヘッダから取得された）現実のＥＤＭＧフレーム持続時間とＢＲＰフレームの最小持続時間（例えば、Ｔｃ×（１８×５１２＋４４１６））との間の差に基づき得る。
【０２０８】
ＥＤＭＧフレームの送信側は、全解像度（例えば、５ビット）をもつＥＤＭＧ情報としてトレーニング長を設定し得る。サードパーティＳＴＡ（例えば、レガシーＳＴＡ）は、実際の短いＥＤＭＧフレームよりも持続時間が長いものとしてフレームを解釈し得る。
【０２０９】
本明細書で使用される用語ＥＤＭＧは、拡張（Enhanced）によって交換され得る。例えば、対応するＥＤＭＧ特徴は、拡張特徴であり得る。
【０２１０】
特徴、要素および行為を非限定的な例の目的で説明する。例が８０２．１１プロトコルを対象とするが、本明細書における主題は、他の無線通信およびシステムに適用できる。説明する主題の各特徴、要素、行為または他の態様は、図または説明に提示されているかどうかに関わらず、本明細書で提示する例に関わらず、任意の順序で、知られているか知られていないかに関わらず、他の主題を含め、単独で又は任意の組合せで実装され得る。
【０２１１】
ｍｍＷ  ＷＬＡＮシステム中での複数のチャネル送信のためのシステム、方法および手段を開示した。マルチチャネルアグリゲーションおよびチャネルボンディングは、例えば、単一の送信機／受信機ペアのためのマルチチャネルアグリゲーションまたは周波数および空間ベースの多元接続を用いる複数の送信機／受信機ペアのためのマルチチャネルアグリゲーションおよびボンディングを含み得る。マルチチャネルビームフォーミングは、例えば、２つのチャネルにわたる１つのアナログビームと各チャネル上のアナログ回路もしくは両方のチャネル上の単一のアナログ回路と、２つのチャネルにわたる１つのアナログビームと各チャネル上の別個のデジタルプリコーディング方式と、１次チャネルにわたる１つのアナログビームと各チャネル上の別個のデジタルプリコーディング方式と、または２つのチャネル上の２つのアナログビームと各チャネル上の別個のデジタルプリコーディングとを備え得る。
【０２１２】
特徴および要素について、特定の組合せまたは順序で上述し得たが、各特徴または要素が単独でまたは他の特徴および要素との任意の組合せで使用され得ることを、当業者は諒解されよう。さらに、本明細書で説明する方法は、コンピュータまたはプロセッサが実行するためのコンピュータ可読媒体に組み込まれたコンピュータプログラム、ソフトウェア、またはファームウェアで実装され得る。コンピュータ可読媒体の例は、（有線または無線接続を介して送信される）電子信号およびコンピュータ可読記憶媒体を含む。コンピュータ可読記憶媒体の例は、限定はしないが、ＲＯＭ、ＲＡＭ、レジスタ、キャッシュメモリ、半導体メモリデバイス、内蔵ハードディスクおよびリムーバブルディスクなどの磁気媒体、光磁気媒体、並びにＣＤ−ＲＯＭディスクおよびデジタル多用途ディスク（ＤＶＤ）などの光媒体を含む。ソフトウェアに関連するプロセッサは、ＷＴＲＵ、ＵＥ、端末、基地局、ＲＮＣ、または任意のホストコンピュータにおいて使用するための無線周波数トランシーバを実装するために使用され得る。
【図１Ａ】
2019526990.tif 000007
【図１Ｂ】
2019526990.tif 000008
【図１Ｃ】
2019526990.tif 000009
【図１Ｄ】
2019526990.tif 000010
【図２】
2019526990.tif 000011
【図３】
2019526990.tif 000012
【図４】
2019526990.tif 000013
【図５】
2019526990.tif 000014
【図６】
2019526990.tif 000015
【図７】
2019526990.tif 000016
【図８】
2019526990.tif 000017
【図９】
2019526990.tif 000018
【図１０】
2019526990.tif 000019
【図１１】
2019526990.tif 000020
【図１２】
2019526990.tif 000021
【図１３】
2019526990.tif 000022
【図１４Ａ】
2019526990.tif 000023
【図１４Ｂ】
2019526990.tif 000024
【図１５】
2019526990.tif 000025
【図１６】
2019526990.tif 000026
【図１７】
2019526990.tif 000027
【図１８】
2019526990.tif 000028
【図１９】
2019526990.tif 000029
【図２０】
2019526990.tif 000030
【図２１】
2019526990.tif 000031
【図２２】
2019526990.tif 000032
【図２３】
2019526990.tif 000033
【図２４】
2019526990.tif 000034
【図２５】
2019526990.tif 000035
【図２６】
2019526990.tif 000036
【図２７】
2019526990.tif 000037
【図２８】
2019526990.tif 000038
【図２９】
2019526990.tif 000039
【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
デバイスであって、
プロセッサを備え、前記プロセッサは、
指向性マルチギガビット（ＤＭＧ）パケットの代わりに拡張指向性マルチギガビット（ＥＤＭＧ）パケットフレームを送信することを決定し、前記ＥＤＭＧフレームはレガシーヘッダ（Ｌヘッダ）を備え、前記Ｌヘッダは、長さフィールド、トレーニング長フィールド、および変調符号化セット（ＭＣＳ）を備え、
前記長さフィールド、前記トレーニング長フィールド、および前記ＭＣＳの値を決定し、前記長さフィールド、前記トレーニング長フィールド、および前記ＭＣＳの前記値が送信機時間（ＴＸＴＩＭＥ）を計算するために使用されるとき、前記ＴＸＴＩＭＥは、ＥＤＭＧパケットフレーム持続時間とほぼ同じ持続時間であり、
前記決定された値に設定された前記Ｌヘッダの前記長さフィールドとともに前記ＥＤＭＧパケットフレームを送り、前記Ｌヘッダ中の予約ビット４６は１の値に設定される、
ように構成された、デバイス。
【請求項２】
前記デバイスは、局またはアクセスポイント（ＡＰ）を備える、請求項１のデバイス。
【請求項３】
前記プロセッサは、前記ＥＤＭＧパケットフレームに関連する持続時間を決定するようにさらに構成される、請求項１のデバイス。
【請求項４】
前記ＥＤＭＧパケットフレームは、Ｌヘッダパケットタイプフィールド、Ｌヘッダビーム追跡要求フィールド、またはパケットタイプフィールドのうちの少なくとも１つを備える、請求項１のデバイス。
【請求項５】
前記ＥＤＭＧパケットフレームは、ＤＭＧシングルキャリア（ＳＣ）物理（ＰＨＹ）フレームである、請求項１のデバイス。
【請求項６】
設定された前記Ｌヘッダの前記長さフィールドは、所定の値よりも小さい、請求項１のデバイス。
【請求項７】
デバイスによって、指向性マルチギガビット（ＤＭＧ）パケットの代わりに拡張指向性マルチギガビット（ＥＤＭＧ）パケットフレームを送信することを決定することであって、前記ＥＤＭＧフレームはレガシーヘッダ（Ｌヘッダ）を備え、前記Ｌヘッダは、長さフィールド、トレーニング長フィールド、および変調符号化セット（ＭＣＳ）を備える、ことと、
前記長さフィールド、前記トレーニング長フィールド、および前記ＭＣＳの値を決定することであって、前記長さフィールド、前記トレーニング長フィールド、および前記ＭＣＳの前記値が送信機時間（ＴＸＴＩＭＥ）を計算するために使用されるとき、前記ＴＸＴＩＭＥは、ＥＤＭＧパケットフレーム持続時間とほぼ同じ持続時間である、ことと、
前記決定された値に設定された前記Ｌヘッダの前記長さフィールドとともに前記ＥＤＭＧパケットフレームを送ることであって、前記Ｌヘッダ中の予約ビット４６は１の値に設定される、ことと
を備える方法。
【請求項８】
前記デバイスは、局またはアクセスポイント（ＡＰ）を備える、請求項７の方法。
【請求項９】
前記ＥＤＭＧパケットフレームに関連する持続時間を決定することをさらに備える、請求項７の方法。
【請求項１０】
前記ＥＤＭＧパケットフレームは、Ｌヘッダパケットタイプフィールド、Ｌヘッダビーム追跡要求フィールド、またはパケットタイプフィールドのうちの少なくとも１つを備える、請求項７の方法。
【請求項１１】
前記ＥＤＭＧパケットフレームは、ＤＭＧシングルキャリア（ＳＣ）物理（ＰＨＹ）フレームである、請求項７の方法。
【請求項１２】
設定された前記Ｌヘッダの前記長さフィールドは、所定の値よりも小さい、請求項７の方法。
【国際調査報告】
2019526990.tif 000040
2019526990.tif 000041